(57)【要約】実施例によるカメラモジュールは、液体レンズ部と、前記液体レンズ部が配置されたレンズホルダーと、前記液体レンズ部を駆動する駆動信号を供給するメイン基板と、前記メイン基板上に配置され、内部空間に前記液体レンズ部が配置されるベースとを含み、前記液体レンズ部は、上部電極及び下部電極を含む液体レンズと、前記下部電極と連結される下部連結基板とを含み、前記ベースは、前記上部電極と前記メイン基板を電気的に連結し、平面上で前記上部電極に隣り合って配置された上側接続部と、前記下部連結基板と前記メイン基板を電気的に連結する下側接続部とを含む。【選択図】  図３
2021511548.tif 000002
【特許請求の範囲】
【請求項１】
液体レンズ部と、
前記液体レンズ部が配置されたレンズホルダーと、
前記液体レンズ部を駆動する駆動信号を供給するメイン基板と、
前記メイン基板上に配置され、内部空間に前記液体レンズ部が配置されるベースと、を含み、
前記液体レンズ部は、
上部電極及び下部電極を含む液体レンズと、
前記下部電極と連結される下部連結基板と、を含み、
前記ベースは、
前記上部電極と前記メイン基板を電気的に連結し、平面上で前記上部電極に隣り合って配置された上側接続部と、
前記下部連結基板と前記メイン基板を電気的に連結する下側接続部と、を含む、カメラモジュール。
【請求項２】
前記下部連結基板は、前記ベースに向かって突出して前記下側接続部と連結された外側端子部を含む、請求項１に記載のカメラモジュール。
【請求項３】
前記レンズホルダーは、
第１開口を有する第１側部と、
前記第１開口と光軸方向に垂直な方向に対面する第２開口を有する第２側部と、
前記第１及び第２開口とともに前記液体レンズ部の前記上部電極を前記ベースに向けて露出させる形状を有する上部と、を含み、
前記上側接続部は、
前記上部電極の中で、前記第１開口に隣り合う第１上部電極と前記メイン基板を電気的に連結する第１上側接続部と、
前記上部電極の中で、前記第２開口に隣り合う第２上部電極と前記メイン基板を電気的に連結する第２上側接続部と、を含む、請求項２に記載のカメラモジュール。
【請求項４】
前記ベースは、
前記レンズホルダーの前記第１側部と対向する第１側壁と、
前記レンズホルダーの前記第２側部と対向する第２側壁と、
前記第１側壁と前記第２側壁との間で互いに対向して配置された第３及び第４側壁と、を含み、
前記上側接続部及び下側接続部は、前記ベースの前記第１、第２、第３又は第４側壁の少なくとも一部の表面上に配置される、請求項３に記載のカメラモジュール。
【請求項５】
前記第１上側接続部は、
前記第１側壁の第１上面に配置され、前記第１上部電極と連結された第１上側端子部と、
前記第１側壁の側面で前記第１上側端子部と前記メイン基板との間に配置された第２上側端子部と、を含む、請求項４に記載のカメラモジュール。
【請求項６】
前記第２上側接続部は、
前記第２側壁の第２上面に配置され、前記第２上部電極と連結された第３上側端子部と、
前記第３上側端子部から前記第３又は第４側壁の少なくとも一つを通して前記第１側壁まで延びる端子連結部と、
前記第１側壁の前記側面で前記端子連結部と前記メイン基板との間で前記第２上側端子部から離隔して配置された第４上側端子部と、を含む、請求項５に記載のカメラモジュール。
【請求項７】
前記下側接続部は、
前記第１側壁の第３上面に配置され、前記外側端子部と連結された第１下側端子部と、
前記第１側壁の前記側面で前記第１下側端子と前記メイン基板との間で前記第２及び第４上側端子部からそれぞれ離隔して配置された第２下側端子部と、を含む、請求項６に記載のカメラモジュール。
【請求項８】
前記メイン基板は、
前記第２上側端子部と接触する第１パッドと、
前記第４上側端子部と連結された第２パッドと、
前記第２下側端子部と連結された第３パッドと、を含む、請求項７に記載のカメラモジュール。
【請求項９】
前記第１上部電極と前記第１上側端子部は、金属エポキシ、溶接、ソルダリング又はワイヤボンディングの少なくとも一つによって互いに電気的に連結され、
前記第２上部電極と前記第３上側接続部は、金属エポキシ、溶接、ソルダリング又はワイヤボンディングの少なくとも一つによって互いに電気的に連結され、
前記外側端子部と前記第１下側端子部は、金属エポキシ、溶接、ソルダリング又はワイヤボンディングの少なくとも一つによって互いに電気的に連結される、請求項７に記載のカメラモジュール。
【請求項１０】
前記第２上側端子部、前記第４上側端子部及び第２下側端子部のそれぞれは、
第３幅を有し、前記第１上側端子部、前記第３上側端子部又は前記第１下側端子部と接する第１部分と、
前記第３幅より大きい第４幅を有し、前記第１、第２又は第３パッドと接する第２部分と、
前記第１部分と前記第２部分との間に配置され、前記第４幅より大きい第５幅を有する第３部分と、を含む、請求項８に記載のカメラモジュール。
【発明の詳細な説明】
【技術分野】
【０００１】
実施例はカメラモジュールに関するものである。
【背景技術】
【０００２】
携帯用装置の使用者は高解像度を有しながらもサイズが小さくて多様な撮影機能を有する光学機器を望んでいる。例えば、多様な撮影機能とは、光学ズーム機能（ｚｏｏｍ−ｉｎ／ｚｏｏｍ−ｏｕｔ）、オートフォーカシング（ＡＦ：Ａｕｔｏ−Ｆｏｃｕｓｉｎｇ）機能又は手ぶれ補正又は光学式手ぶれ補正（ＯＩＳ：Ｏｐｔｉｃａｌ  Ｉｍａｇｅ  Ｓｔａｂｉｌｉｚｅｒ）機能の中で少なくとも一つを意味することができる。
【０００３】
従来の場合、前述した多様な撮影機能を具現化するために、複数のレンズを組み合わせ、組み合わせられたレンズを直接動かす方法を用いた。しかし、このようにレンズの数を増加させる場合、光学機器のサイズが大きくなることができる。
【０００４】
オートフォーカス機能と手ぶれ補正機能は、レンズホルダーに固定されて光軸に整列された複数のレンズが、光軸又は光軸の垂直方向に移動するかティルティング（Ｔｉｌｔｉｎｇ）することによって遂行される。このために、複数のレンズから構成されたレンズアセンブリーを駆動する別途のレンズ駆動装置が要求される。しかし、レンズ駆動装置は電力消費が大きいから、これを保護するために、カメラモジュールとは別にカバーガラスを追加しなければならないなど、既存のカメラモジュールの全体のサイズが大きくなる問題がある。これを解消するために、２種の液体の界面の曲率を電気的に調節してオートフォーカス機能と手ぶれ補正機能を果たす液体レンズ部に対する研究が行われている。
【発明の概要】
【発明が解決しようとする課題】
【０００５】
実施例は、小型であり、部品数が少なく、製造工程が簡単な安価のカメラモジュールを提供するためのものである。
【０００６】
実施例で解決しようとする技術的課題は以上で言及した技術的課題に制限されず、言及しなかった他の技術的課題は以下の記載から本発明が属する技術分野で通常の知識を有する者に明らかに理解可能であろう。
【課題を解決するための手段】
【０００７】
実施例によるカメラモジュールは、液体レンズ部と、前記液体レンズ部が配置されたレンズホルダーと、前記液体レンズ部を駆動する駆動信号を供給するメイン基板と、前記メイン基板上に配置され、内部空間に前記液体レンズ部が配置されるベースとを含み、前記液体レンズ部は、上部電極及び下部電極を含む液体レンズと、前記下部電極と連結される下部連結基板とを含み、前記ベースは、前記上部電極と前記メイン基板を電気的に連結し、平面上で前記上部電極に隣り合って配置された上側接続部と、前記下部連結基板と前記メイン基板を電気的に連結する下側接続部とを含むことができる。
【０００８】
例えば、前記下部連結基板は、前記ベースに向かって突出して前記下側接続部と連結された外側端子部を含むことができる。
【０００９】
例えば、前記レンズホルダーは、第１開口を有する第１側部と、前記第１開口と光軸方向に垂直な方向に対面する第２開口を有する第２側部と、前記第１及び第２開口とともに前記液体レンズ部の前記上部電極を前記ベースに向けて露出させる形状を有する上部とを含み、前記上側接続部は、前記上部電極の中で、前記第１開口に隣り合う第１上部電極と前記メイン基板を電気的に連結する第１上側接続部と、前記上部電極の中で、前記第２開口に隣り合う第２上部電極と前記メイン基板を電気的に連結する第２上側接続部とを含むことができる。
【００１０】
例えば、前記ベースは、前記レンズホルダーの前記第１側部と対向する第１側壁と、前記レンズホルダーの前記第２側部と対向する第２側壁と、前記第１側壁と前記第２側壁との間で互いに対向して配置された第３及び第４側壁とを含み、前記上側接続部及び下側接続部は、前記ベースの前記第１、第２、第３又は第４側壁の少なくとも一部の表面上に配置されることができる。
【００１１】
例えば、前記第１上側接続部は、前記第１側壁の第１上面に配置され、前記第１上部電極と連結された第１上側端子部と、前記第１側壁の側面で前記第１上側端子部と前記メイン基板との間に配置された第２上側端子部とを含むことができる。
【００１２】
例えば、前記第２上側接続部は、前記第２側壁の第２上面に配置され、前記第２上部電極と連結された第３上側端子部と、前記第３上側端子部から前記第３又は第４側壁の少なくとも一つを通して前記第１側壁まで延びる端子連結部と、前記第１側壁の前記側面で前記端子連結部と前記メイン基板との間で前記第２上側端子部から離隔して配置された第４上側端子部とを含むことができる。
【００１３】
前記下側接続部は、前記第１側壁の第３上面に配置され、前記外側端子部と連結された第１下側端子部と、前記第１側壁の前記側面で前記第１下側端子と前記メイン基板との間で前記第２及び第４上側端子部からそれぞれ離隔して配置された第２下側端子部とを含むことができる。
【００１４】
前記メイン基板は、前記第２上側端子部と接触する第１パッドと、前記第４上側端子部と連結された第２パッドと、前記第２下側端子部と連結された第３パッドとを含むことができる。
【００１５】
例えば、前記第１〜第３上面の高低は互いに異なることができる。
【００１６】
例えば、前記第１上部電極と前記第１上側端子部は、金属エポキシ、溶接、ソルダリング又はワイヤボンディングの少なくとも一つによって互いに電気的に連結され、前記第２上部電極と前記第３上側接続部は、金属エポキシ、溶接、ソルダリング又はワイヤボンディングの少なくとも一つによって互いに電気的に連結され、前記外側端子部と前記第１下側端子部は、金属エポキシ、溶接、ソルダリング又はワイヤボンディングの少なくとも一つによって互いに電気的に連結されることができる。
【００１７】
例えば、前記第１開口と前記第２開口が対面し、前記光軸に垂直な方向に、前記レンズホルダーの上部の中心の第１幅は端部の第２幅より大きくもよい。
【００１８】
前記第２上側端子部、前記第４上側端子部及び第２下側端子部のそれぞれは、第３幅を有し、前記第１上側端子部、前記第３上側端子部又は前記第１下側端子部と接する第１部分と、前記第３幅より広い第４幅を有し、前記第１、第２又は第３パッドと接する第２部分と、前記第１部分と前記第２部分との間に配置され、前記第４幅より広い第５幅を有する第３部分とを含むことができる。
【００１９】
例えば、前記下部連結基板は、前記液体レンズの下部又は側部の少なくとも一つに配置されるフレームと、前記フレームから内側に突出して前記下部電極と連結される内側端子部とをさらに含むことができる。
【００２０】
例えば、前記下部連結基板の前記フレームと前記内側端子部とは、前記液体レンズが装着、着座、接触、固定、仮固定、支持、結合又は配置される形状を有することができる。
【発明の効果】
【００２１】
実施例によるカメラモジュールは、上部電極とメイン基板を第１フレキシブルプリント基板（ＦＰＣＢ）を使わずに上側接続部を用いて連結するので、第１連結回路基板と上部電極を連結する工程が不必要になって製造時間及び費用を節減することができ、メイン基板からの駆動電圧を液体レンズに伝達する第１及び第２フレキシブルプリント基板をベンディングしてメイン基板に直接連結する場合、第１及び第２フレキシブルプリント基板をベンディングすることによって第１及び第２フレキシブルプリント基板とメイン基板が互いに接触する部位で発生する公差が大きいが、実施例の場合、下部連結基板をベンディングしないので、下部連結基板とベースが互いに接触する部位での公差が相対的に小さくて公差の精度が改善されるので、下部連結基板をメイン基板と電気的に確かに連結することができ、下部連結基板の構成が液体レンズを取り囲んで保護する形状を有するので、このような役割を果たすスペーサーが不必要であり、第１及び第２フレキシブルプリント基板をベンディングしてメール基板と連結する場合、メイン基板の大きさが小さければ、第１及び第２フレキシブルプリント基板間の電気的な接触がずれることができるが、実施例の場合、下部連結基板をベンディングせずにメイン基板と連結するので、メイン基板の大きさが小さいとしても、下部連結基板とメイン基板との間の電気的接触がずれないので、メイン基板（又は、カメラモジュール）の大きさを一層減らすことができ、下部連結基板の大きさが小さいとしても切れるか浮き上がることがなくて下部連結基板の信頼性が高くなり、下部連結基板がベンディングされなければならないという条件がないので、下部連結基板に対する設計の制約条件がややこしくなくて下部連結基板の設計の自由度が高くなることができ、上側及び下側接続部に第３部分を備えることにより、アクティブアラインの際に上側及び下側接続部を介しての液体レンズへの駆動電圧の供給が容易であり、アクティブアライン工程作業が容易でありながらも正確に遂行されることができ、カメラモジュールの信頼性が改善されることができ、前述したように、スペーサーや第１フレキシブルプリント基板を要求しないので、部品の個数が減少してアクティブアラインなどの製造工程が早くなることができ、光軸に垂直な水平面積が減少して大きさが小型化することができ、製造コストが節減され、製造工程が単純化することができる。
【００２２】
また、本実施例で得られる効果は以上で言及した効果に制限されず、言及しなかった他の効果は以下の記載から本発明が属する分野で通常の知識を有する者に明らかに理解可能であろう。
【図面の簡単な説明】
【００２３】
【図１】実施例によるカメラモジュールの概略ブロック図である。
【図２】図１に示したカメラモジュールの一実施例の結合斜視図である。
【図３】理解を助けるために、図２に示したカメラモジュールからカバーを除去した結合斜視図である。
【図４】図２に示したカメラモジュールの分解斜視図である。
【図５】図２に示したカメラモジュールをＡ−Ａ’線に沿って切り取った右側断面図である。
【図６】理解を助けるために、図２に示したカメラモジュールからカバーを除去した平面図である。
【図７】図３〜図６に示した液体レンズ部の分解斜視図である。
【図８】図７に示した液体レンズ部の実施例による断面図である。
【図９】図３〜図６に示したベースの一実施例による斜視図である。
【図１０】カメラモジュールの概略ブロック図である。
【図１１（ａ）】前述した実施例によるカメラモジュールの製造方法を説明するための工程斜視図である。
【図１１（ｂ）】前述した実施例によるカメラモジュールの製造方法を説明するための工程斜視図である。
【図１１（ｃ）】前述した実施例によるカメラモジュールの製造方法を説明するための工程斜視図である。
【図１１（ｄ）】前述した実施例によるカメラモジュールの製造方法を説明するための工程斜視図である。
【図１１（ｅ）】前述した実施例によるカメラモジュールの製造方法を説明するための工程斜視図である。
【図１１（ｆ）】前述した実施例によるカメラモジュールの製造方法を説明するための工程斜視図である。
【発明を実施するための形態】
【００２４】
以下、添付図面に基づいて実施例を詳細に説明する。実施例は多様な変更を加えることができ、さまざまな形態を有することができるが、特定の実施例を図面に例示し本文に詳細に説明しようとする。しかし、これは実施例を特定の開示形態に限定しようとするものではなく、実施例の思想及び技術範囲に含まれる全ての変更、均等物乃至代替物を含むものに理解されなければならない。
【００２５】
“第１”、“第２”などの用語は多様な構成要素を説明するのに使えるが、前記構成要素は前記用語によって限定されてはいけない。前記用語は一構成要素を他の構成要素から区別する目的のみで使われる。また、実施例の構成及び作用を考慮して特別に定義された用語は実施例を説明するためのものであり、実施例の範囲を限定するものではない。
【００２６】
実施例の説明において、各要素（ｅｌｅｍｅｎｔ）の“上又は下（ｏｎ  ｏｒ  ｕｎｄｅｒ）”に形成されるものとして記載される場合、上又は下（ｏｎ  ｏｒ  ｕｎｄｅｒ）は二つの要素（ｅｌｅｍｅｎｔ）が互いに直接（ｄｉｒｅｃｔｌｙ）接触するかあるいは一つ以上の他の要素（ｅｌｅｍｅｎｔ）が前記二つの要素（ｅｌｅｍｅｎｔ）の間に配置されて（ｉｎｄｉｒｅｃｔｌｙ）形成されるものを全て含む。また“上又は下（ｏｎ  ｏｒ  ｕｎｄｅｒ）”と表現される場合、１個の要素（ｅｌｅｍｅｎｔ）を基準に上方だけでなく下方の意味も含むことができる。
【００２７】
また、以下に使われる“上／上部／上の”及び“下／下部／下の”などの関係的用語は、そのような実体又は要素間のある物理的又は論理的関係又は手順を必ず要求するか内包しなく、ある１個の実体又は要素を他の実体又は要素と区別するために用いることもできる。
【００２８】
本出願で使用した用語は単に特定の実施例を説明するために使用したものであり、本発明を限定しようとするものではない。単数の表現は、文脈上明白に他に指示しない限り、複数の表現を含む。本出願で、“含む”又は“有する”などの用語は明細書上に記載された特徴、数字、段階、動作、構成要素、部品又はこれらの組合せが存在することを指定しようとするものであり、一つ又はそれ以上の他の特徴、数字、段階、動作、構成要素、部品又はこれらの組合せの存在又は付加の可能性を予め排除しないものに理解しなければならない。
【００２９】
また、特に他に定義しない限り、技術的又は科学的な用語を含めて、ここで使われる全ての用語は本発明が属する技術分野で通常の知識を有する者が一般的に理解しているものと同じ意味を有することができる。一般的に使われる辞書に定義されているもののような用語は関連技術の文脈上で有する意味と一致する意味を有するものと解釈されなければならず、本出願で明白に定義しない限り、理想的に又は過度に形式的な意味と解釈されない。
【００３０】
また、以下で説明するいくつかの実施例は、互いに組み合わせることができないと特別に言及しない限り、互いに組み合わせることができる。
【００３１】
また、いくつかの実施例のいずれか一実施例についての説明から漏れた部分は、特に言及しない限り、他の実施例についての説明を適用することができる。
【００３２】
以下、実施例によるカメラモジュール１００を添付図面に基づいて説明する。
【００３３】
図１は実施例によるカメラモジュール１００の概略ブロック図を示す。
【００３４】
図１を参照すると、実施例によるカメラモジュール１００は、レンズアセンブリー２２、制御回路２４及びイメージセンサー２６を含むことができる。
【００３５】
まず、レンズアセンブリー２２は、複数のレンズ部、及び複数のレンズ部を収容するレンズホルダーを含むことができる。後述するように、複数のレンズ部は液体レンズを含むことができ、第１レンズ部又は第２レンズ部をさらに含むことができる。もしくは、複数のレンズ部は、液体レンズ部と第１及び第２レンズ部の全てを含むこともできる。
【００３６】
制御回路２４は、液体レンズ部に駆動電圧（又は、動作電圧又は動作信号又は駆動信号）を供給する役割を果たす。
【００３７】
前述した制御回路２４とイメージセンサー２６は単一のプリント基板（ＰＣＢ：Ｐｒｉｎｔｅｄ  Ｃｉｒｃｕｉｔ  Ｂｏａｒｄ）上に配置されることができるが、これは一例に過ぎず、実施例はこれに限定されない。
【００３８】
実施例によるカメラモジュール１００が光学機器（Ｏｐｔｉｃａｌ  Ｄｅｖｉｃｅ、Ｏｐｔｉｃａｌ  Ｉｎｓｔｒｕｍｅｎｔ）に適用される場合、制御回路２４の構成は光学機器で要求する仕様によって違うように設計できる。特に、制御回路２４は単一チップ（ｓｉｎｇｌｅ  ｃｈｉｐ）から具現化され、レンズアセンブリー２２に印加される駆動電圧の強度を減らすことができる。これにより、携帯用装置に搭載される光学機器のサイズをもっと縮小することができる。
【００３９】
イメージセンサー２６は、レンズアセンブリー２２を通過した光をイメージデータに変換する機能を果たすことができる。このために、制御回路２４はイメージセンサー２６を制御することができる。
【００４０】
以下、図１に示したカメラモジュール１００の実施例１００Ａをデカルト座標系を用いて説明するが、実施例はこれに限られない。また、デカルト座標系によれば、ｘ軸、ｙ軸及びｚ軸は互いに直交するが、実施例はこれに限られない。すなわち、ｘ軸、ｙ軸及びｚ軸は直交する代わりに、互いに交差することもできる。
【００４１】
図２は図１に示したカメラモジュール１００の一実施例１００Ａの結合斜視図を示し、図３は図２に示したカメラモジュール１００Ａからカバー１７０を除去した結合斜視図を示し、図４は図２に示したカメラモジュール１００Ａの分解斜視図を示し、図５は図２に示したカメラモジュール１００ＡをＡ−Ａ’線に沿って切り取った右側断面図を示し、図６は図２に示したカメラモジュール１００Ａからカバー１７０を除去した平面図を示す。
【００４２】
図２〜図６を参照すると、カメラモジュール１００Ａは、レンズアセンブリー、メイン基板１５０、ベース１７２及びイメージセンサー１８２を含むことができる。また、カメラモジュール１００Ａは、カバー１７０及びセンサーホルダー１７８をさらに含むことができる。また、カメラモジュール１００Ａは、フィルター１７６をさらに含むことができる。また、カメラモジュール１００Ａは、ワイヤ１７４をさらに含むことができる。
【００４３】
図２〜図６に示したカメラモジュール１００Ａの構成要素１１０〜１８２の少なくとも一つは省略することができる。もしくは、図２〜図６に示した構成要素１１０〜１８２と違う少なくとも一つの構成要素をカメラモジュール１００Ａにさらに含むこともできる。
【００４４】
図２〜図６を参照すると、レンズアセンブリーは、第１レンズ部１１０、レンズホルダー１２０、第２レンズ部１３０又は液体レンズ部１４０の少なくとも一つを含むことができ、図１に示したレンズアセンブリー２２に相当することができる。このようなレンズアセンブリーはメイン基板１５０上に配置されることができる。
【００４５】
レンズアセンブリーにおいて、液体レンズ部１４０と区別するために、第１レンズ部１１０及び第２レンズ部１３０を‘第１固体レンズ部’及び‘第２固体レンズ部’とそれぞれ呼ぶこともできる。しかし、レンズアセンブリーは、第１及び第２レンズ部１１０、１３０を含まなくてもよい。
【００４６】
第１レンズ部１１０はレンズアセンブリーの上側に配置され、レンズアセンブリーの外部から光が入射する領域であり得る。すなわち、第１レンズ部１１０は、レンズホルダー１２０内で液体レンズ部１４０上に配置されることができる。２個以上の複数のレンズは中心軸を基準に整列されて光学系を形成することができる。
【００４７】
ここで、中心軸とは、カメラモジュール１００に含まれた第１レンズ部１１０、液体レンズ部１４０又は第２レンズ部１３０の少なくとも一つが形成する光学系の光軸（Ｏｐｔｉｃａｌ  ａｘｉｓ）ＬＸを意味することもでき、光軸ＬＸに平行な軸を意味することもできる。光軸ＬＸはイメージセンサー１８２の中心軸に相当することができる。すなわち、第１レンズ部１１０、液体レンズ部１４０、第２レンズ部１３０及びイメージセンサー１８２はアクティブアライン（ＡＡ：Ａｃｔｉｖｅ  Ａｌｉｇｎ）によって光軸ＬＸに整列されて重畳配置されることができる。
【００４８】
ここで、アクティブアラインとは、より良いイメージの獲得のために、第１レンズ部１１０、第２レンズ部１３０及び液体レンズ部１４０のそれぞれの光軸を一致させ、イメージセンサー１８２とレンズ部１１０、１３０、１４０との間の軸又は距離関係を調節する動作を意味することができる。このようなアクティブアラインについては、後述するカメラモジュールの製造方法で詳細に説明する。
【００４９】
第１レンズ部１１０は単一レンズから具現化されることもでき、２個以上の複数のレンズから具現化されることもできる。例えば、図４及び図５を参照すると、第１レンズ部１１０は、複数のレンズＬ１〜Ｌ３を含むことができる。第１レンズ部１１０の上側に露出レンズが配置されることができる。ここで、露出レンズとは、第１レンズ部１１０に含まれたレンズの中で最外殻のレンズを意味することができる。すなわち、第１レンズ部１１０の最も上側に位置するレンズが上方に突出するので、露出レンズの機能を果たすことができる。露出レンズはレンズホルダー１２０の外部に突出するから、表面が損傷する可能性がある。仮に、露出レンズの表面が損傷する場合、カメラモジュール１００Ａで撮影されるイメージの画質が低下することができる。よって、露出レンズの表面損傷を防止及び抑制するために、露出レンズの上部にカバーガラス（ｃｏｖｅｒ  ｇｌａｓｓ）を配置するかコーティング層を形成するか、あるいは露出レンズの表面損傷を防止するために、他のレンズ部のレンズより剛性の高い耐磨耗性素材から露出レンズを具現化することもできる。
【００５０】
また、第１レンズ部１１０に含まれたレンズのそれぞれの外径は、図５に示したように、同一であってもよく、図５に示したものとは違い、下方（例えば、−ｚ軸方向）に行くほど増加することもできるが、実施例はこれに限定されない。
【００５１】
図５を参照すると、レンズホルダー１２０は、液体レンズ部１４０が配置される空間を含み、第１及び第２ホールＨ１、Ｈ２、第１〜第４側部Ｓ１、Ｓ２、Ｓ３、Ｓ４及び上部ＵＳを含むことができる。
【００５２】
図４を参照すると、第１及び第２ホールＨ１、Ｈ２はレンズホルダー１２０の上部と下部にそれぞれ形成され、レンズホルダー１２０の上部と下部をそれぞれ開放させることができる。ここで、第１ホールＨ１及び第２ホールＨ２は貫通ホールであり得る。第１レンズ部１１０は、レンズホルダー１２０の内部に形成された第１ホールＨ１に収容、装着、着座、接触、固定、仮固定、支持、結合又は配置されることができ、第２レンズ部１３０は、レンズホルダー１２０の内部に形成された第２ホールＨ２に収容、装着、着座、接触、固定、仮固定、支持、結合又は配置されることができる。
【００５３】
また、レンズホルダー１２０の第１及び第２側部Ｓ１、Ｓ２は、光軸ＬＸ方向に垂直な方向（例えば、ｙ軸方向）に互いに対面するように配置され、第３及び第４側部Ｓ３、Ｓ４は光軸ＬＸ方向と交差（又は、垂直）する方向（例えば、ｘ軸方向）に互いに対面するように配置されることができる。また、第１側部Ｓ１は第１開口ＯＰ１を含み、第２側部Ｓ２は第１開口ＯＰ１と同一又は類似の形状の第２開口ＯＰ２を含むことができる。よって、第１側部Ｓ１に配置された第１開口ＯＰ１と第２側部Ｓ２に配置された第２開口ＯＰ２は光軸ＬＸ方向に垂直な第１方向（例えば、ｙ軸方向）に互いに対面するように配置されることができる。
【００５４】
第１及び第２開口ＯＰ１、ＯＰ２によって、液体レンズ部１４０が配置されるレンズホルダー１２０の内部空間が開放することができる。ここで、液体レンズ部１４０は第１又は第２開口ＯＰ１、ＯＰ２の少なくとも一つを通して挿入され、レンズホルダー１２０の内部空間に装着、着座、接触、固定、仮固定、支持、結合又は配置されることができる。例えば、液体レンズ部１４０は、第１又は第２開口ＯＰ１、ＯＰ２を通してレンズホルダー１２０の内部空間に挿入されて配置されることができる。
【００５５】
このように、液体レンズ部１４０が第１又は第２開口ＯＰ１、ＯＰ２を通してレンズホルダー１２０の内部空間に挿入されるように、光軸ＬＸ方向（例えば、ｚ軸方向）を基準に、レンズホルダー１２０の第１又は第２開口ＯＰ１、ＯＰ２のそれぞれの大きさは液体レンズ部１４０の厚さより大きくなることができる。もしくは、液体レンズ部１４０が第１又は第２開口ＯＰ１、ＯＰ２を通してホルダー１２０の内部空間に挿入されるように、ｙ軸方向に見たとき、ホルダー１２０の第１又は第２開口ＯＰ１、ＯＰ２のそれぞれの大きさは液体レンズ部１４０の断面積より大きくなることができる。
【００５６】
また、レンズホルダー１２０の上部ＵＳは第１及び第２開口ＯＰ１、ＯＰ２とともに液体レンズ部１４０の上部電極（又は、上部電極セクター）Ｅ１〜Ｅ４を露出させる形状を有することができる。ここで、上部電極セクターとは、電極の一部を意味し、後で詳細に後述する。
【００５７】
仮に、図示のように、複数の電極Ｅ１〜Ｅ４が液体レンズ１４２の四つの上部コーナーに配置される場合、レンズホルダー１２０の上部ＵＳは電極Ｅ１〜Ｅ４を外部に露出させるための平面形状を有することができる。
【００５８】
図６を参照すると、第１及び第２開口ＯＰ１、ＯＰ２が対面する方向であって、光軸に垂直な方向（例えば、ｙ軸方向）にレンズホルダー１２０の中央の第１幅Ｗ１はレンズホルダー１２０の端部の第２幅Ｗ２より大きくなることができる。すなわち、平面上でレンズホルダー１２０の端部の第２幅Ｗ２が中央の第１幅Ｗ１より小さい理由は、レンズホルダー１２０が第１及び第２開口ＯＰ１、ＯＰ２とともに上部電極Ｅ１〜Ｅ４を露出させるためである。
【００５９】
また、平面上でレンズホルダー１２０の端部の第２幅Ｗ２は第１レンズ部１１０に含まれたレンズ（例えば、Ｌ１〜Ｌ３）の直径より小さくてもよいが、実施例はこれに限られない。
【００６０】
第２レンズ部１３０は、レンズホルダー１２０の内部で液体レンズ部１４０の下に配置されることができる。第２レンズ部１３０と第１レンズ部１１０は、光軸方向（例えば、ｚ軸方向）に離隔して配置されることができる。
【００６１】
カメラモジュール１００Ａの外部から第１レンズ部１１０に入射した光は、液体レンズ部１４０を通過して第２レンズ部１３０に入射することができる。第２レンズ部１３０は単一のレンズから具現化されることもでき、図５に示したように、中心軸を基準に整列されて光学系を形成する２個以上の複数のレンズＬ４〜Ｌ７から具現化されることもできる。
【００６２】
液体レンズ部１４０とは違い、第１レンズ部１１０及び第２レンズ部１３０のそれぞれは固体レンズであり、ガラス又はプラスチックから具現化されることができるが、実施例は第１レンズ部１１０及び第２レンズ部１３０のそれぞれの特定の素材に限られない。
【００６３】
一方、液体レンズ部１４０の一部は、光軸ＬＸ方向又は光軸ＬＸ方向に平行な方向（例えば、ｚ軸方向）にレンズホルダー１２０の第１ホールＨ１と第２ホールＨ２との間の内部空間に装着、着座、接触、固定、仮固定、支持、結合又は配置されることができる。すなわち、液体レンズ部１４０の一部は、第１レンズ部１１０と第２レンズ部１３０との間に配置されることができる。しかし、実施例はこれに限られない。例えば、他の実施例によれば、第１レンズ部１１０又は第２レンズ部１３０を省略することもでき、液体レンズ部１４０が第１レンズ部１１０よりレンズホルダー１２０内で上側に配置されることもでき、液体レンズ部１４０が第２レンズ部１３０よりレンズホルダー１２０内で下側に配置されることもできる。
【００６４】
また、図５を参照すると、液体レンズ部１４０の他部は、レンズホルダー１２０の第１及び第２開口ＯＰ１、ＯＰ２内にそれぞれ配置されることができる。また、液体レンズ部１４０は、第１及び第２開口ＯＰ１、ＯＰ２からレンズホルダー１２０の第１又は第２側部Ｓ１、Ｓ２の少なくとも一つの外方に突出する部分（例えば、外側端子部ＯＴ１、ＯＴ２）を含むことができる。
【００６５】
液体レンズ部１４０は、液体レンズ（又は、液体レンズ本体）１４２を含むことができる。
【００６６】
以下、液体レンズ１４２について説明する。
【００６７】
図７は図３〜図６に示した液体レンズ部１４０の分解斜視図を示し、図８は図７に示した液体レンズ部１４０の実施例の断面図を示す。図８は液体レンズ１４２の理解を助けるための一例に過ぎず、実施例は液体レンズ１４２の特定の構造に限られない。
【００６８】
液体レンズ１４２は、キャビティ（ＣＡ：ｃａｖｉｔｙ）を含むことができる。図８に示したように、キャビティＣＡにおいて光が入射する方向の開口面積は反対方向の開口面積より小さくてもよい。もしくは、キャビティＣＡの傾斜方向が反対になるように液体レンズ１４２が配置されることもできる。すなわち、図８に示したものとは違い、キャビティＣＡにおいて光が入射する方向の開口面積が反対方向の開口面積より大きくてもよい。また、キャビティＣＡの傾斜方向が反対になるように液体レンズ１４２が配置されるとき、液体レンズ１４２の傾斜方向によって液体レンズ１４２に含まれた構成の配置の全体又は一部が一緒に変わるか、キャビティＣＡの傾斜方向のみ変わり、残りの構成の配置は変わらないことができる。
【００６９】
液体レンズ１４２は、互いに異なる種類の複数の液体ＬＱ１、ＬＱ２、第１〜第３プレート１４７、１４５、１４６、ｎ個の上部電極（又は、‘個別電極’）Ｅ１〜Ｅｎ、下部電極（又は、‘共通電極’）ＣＯ及び絶縁層１４８を含むことができる。ここで、ｎは１以上の正の整数であり得る。仮に、ｎが１の場合、１個の上部電極と１個の下部電極ＣＯとの間の電圧によって液体レンズ１４２の界面ＢＯが調整され、フォーカシング機能を果たすことができる。しかし、ｎが２以上の正の整数、例えば４の場合、４個の上部電極Ｅ１〜Ｅ４と１個の下部電極ＣＯとの間の電圧によって液体レンズ１４２の界面がティルティング調整され、自動フォーカシング（ＡＦ：Ａｕｔｏ−Ｆｏｃｕｓｉｎｇ）機能だけではなく手ぶれ補正又は光学式手ぶれ補正（ＯＩＳ：Ｏｐｔｉｃａｌ  Ｉｍａｇｅ  Ｓｔａｂｉｌｉｚｅｒ）機能を果たすことができる。
【００７０】
複数の液体ＬＱ１、ＬＱ２はキャビティＣＡに収容され、伝導性を有する第１液体ＬＱ１と非伝導性を有する第２液体（又は、絶縁液体）ＬＱ２とを含むことができる。第１液体ＬＱ１と第２液体ＬＱ２は互いに混じらず、第１及び第２液体ＬＱ１、ＬＱ２間の接触部分に界面ＢＯが形成されることができる。例えば、第１液体ＬＱ１上に第２液体ＬＱ２が配置されることができるが、実施例はこれに限られない。
【００７１】
また、液体レンズ１４２の断面形状において、第１及び第２液体ＬＱ１、ＬＱ２の縁部は中心部より厚さが小さいこともできる。
【００７２】
第１液体ＬＱ１は、例えばエチレングリコール（ｅｔｈｙｌｅｎｅ  ｇｌｙｃｏｌ）と臭化ナトリウム（ＮａＢｒ）が混合されて形成されることができる。第２液体ＬＱ２はオイル（ｏｉｌ）、例えばフェニル（ｐｈｅｎｙｌ）系のシリコンオイルであり得る。
【００７３】
第１液体ＬＱ１と第２液体ＬＱ２のそれぞれは、酸化防止剤又は殺菌剤の少なくとも１種を含むことができる。酸化防止剤はフェノール系酸化防止剤又はリン（Ｐ）系酸化防止剤であり得る。そして、殺菌剤は、アルコール系、アルデヒド系及びフェノール系のいずれか１種の殺菌剤であり得る。このように、第１液体ＬＱ１及び第２液体ＬＱ２のそれぞれが酸化防止剤と殺菌剤を含む場合、第１及び第２液体ＬＱ１、ＬＱ２が酸化するか微生物の繁殖によって第１及び第２液体ＬＱ１、ＬＱ２の物性が変化することを防止することができる。
【００７４】
第１プレート１４７の内側面はキャビティＣＡの側壁ｉを成すことができる。第１プレート１４７は、既設定の傾斜面を有する上下の開口部を含むことができる。すなわち、キャビティＣＡは、第１プレート１４７の傾斜面、第２プレート１４５と接触する第３開口、及び第３プレート１４６と接触する第４開口で取り囲まれた領域に定義されることができる。
【００７５】
第３及び第４開口の中でより広い開口の直径は液体レンズ１４２で要求する画角（ＦＯＶ）又は液体レンズ１４２がカメラモジュール１００Ａで遂行すべき役割によって変わることができる。実施例によれば、第３開口の大きさ（又は面積、又は幅）Ｏ1より第４開口の大きさ（又は面積、又は幅）Ｏ2が大きくてもよい。ここで、第３及び第４開口のそれぞれの大きさは水平方向（例えば、ｘ軸とｙ軸方向）の断面積であり得る。例えば、第３及び第４開口のそれぞれの大きさとは、開口の断面が円形であれば半径を意味し、開口の断面が正方形であれば対角線の長さを意味することができる。
【００７６】
第３及び第４開口のそれぞれは円形の断面を有するホール（ｈｏｌｅ）の形状を有することができ、傾斜面は５５°〜６５°又は５０°〜７０°の範囲の傾斜度、例えば６０°の傾斜度を有することができる。２種の液体が形成する界面ＢＯは駆動電圧によってキャビティＣＡの傾斜面に沿って動ける。
【００７７】
第１プレート１４７のキャビティＣＡに第１液体ＬＱ１及び第２液体ＬＱ２が充填、収容又は配置される。また、キャビティＣＡは、第１レンズ部１１０を通過した光が透過する部位である。第１プレート１４７は透明材料からなることもでき、光の透過が容易でないように不純物を含むこともできる。
【００７８】
第１プレート１４７上に上部電極Ｅ１〜Ｅ４及び下部電極ＣＯがそれぞれ配置されることができる。すなわち、複数の上部電極Ｅ１〜Ｅ４のそれぞれは第１プレート１４７の上面、側面及び下面に配置されることができる。下部電極ＣＯは第１プレート１４７の下面の少なくとも一部領域に配置され、第１液体ＬＱ１と直接接触することができる。
【００７９】
また、上部電極Ｅ１〜Ｅ４と下部電極ＣＯのそれぞれは少なくとも一つの電極セクターを含むことができる。例えば、図７に示したように、上部電極のそれぞれの電極セクターＥ１〜Ｅ４は液体レンズ１４２の上部コーナーにそれぞれ配置されることができ、下部電極の電極セクターＣＯは液体レンズ１４２の下部コーナーにそれぞれ配置されることができる。すなわち、上部電極の電極セクターＥ１、Ｅ２、Ｅ３又はＥ４とは、上部電極のうち第２プレート１４５によって覆われずに露出された部分を意味し、下部電極の電極セクターＣＯとは、下部電極のうち第３プレート１４６によって覆われずに露出された部分を意味することができる。本明細書で、参照符号Ｅ１〜Ｅ４は上部電極の電極セクターを意味するが、場合によっては上部電極自体を意味するものとしても説明する。
【００８０】
上部電極Ｅ１〜Ｅ４は第１上部電極及び第２上部電極を含むことができる。第１上部電極とは、上部電極Ｅ１〜Ｅ４の中で第１開口ＯＰ１に隣り合う上部電極（例えば、Ｅ１とＥ４）を意味し、第２上部電極とは、上部電極Ｅ１〜Ｅ４の中で第２開口ＯＰ２に隣り合う上部電極を意味することができる。
【００８１】
図７を参照すると、上部電極Ｅ１〜Ｅ４と下部電極ＣＯのそれぞれは光軸を中心に時計方向（又は、反時計方向）に沿って順次配置される複数の電極セクターを含むことができる。
【００８２】
第１プレート１４７の他面に配置された下部電極ＣＯの一部が伝導性を有する第１液体ＬＱ１に露出されることができる。
【００８３】
上部電極Ｅ１〜Ｅ４と下部電極ＣＯのそれぞれは導電性材料からなることができ、例えば金属からなることができ、詳細にはクロム（Ｃｒ）を含むことができる。クロミウム（ｃｈｒｏｍｉｕｍ）又はクロム（Ｃｈｒｏｍ）は銀色の光沢がある堅い遷移金属であり、壊れやすくてめったに変色せず、融点が高い。そして、クロミウムを含む合金は腐食に強くて堅いから、他の金属と合金した形態で使われることができる。特に、クロム（Ｃｒ）は腐食と変色が少ないから、キャビティＣＡを満たす伝導性の第１液体ＬＱ１にも強い特徴がある。
【００８４】
また、第２プレート１４５は上部電極Ｅ１〜Ｅ４の一面に配置されることができる。すなわち、第２プレート１４５は第１プレート１４７上に配置されることができる。具体的に、第２プレート１４５は上部電極Ｅ１〜Ｅ４の上面及びキャビティＣＡ上に配置されることができる。
【００８５】
第３プレート１４６は下部電極ＣＯの一面に配置されることができる。すなわち、第３プレート１４６は第１プレート１４７の下に配置されることができる。具体的に、第３プレート１４６は下部電極ＣＯの下面及びキャビティＣＡの下に配置されることができる。
【００８６】
第２プレート１４５と第３プレート１４６は第１プレート１４７を挟んで互いに対向するように配置されることができる。また、第２プレート１４５又は第３プレート１４６の少なくとも一つは省略することもできる。
【００８７】
第２又は第３プレート１４５、１４６の少なくとも一つは方形平面の形状を有することができる。第２及び第３プレート１４５、１４６のそれぞれは光が通過する領域であり、透光性材料からなることができる。例えば、第２及び第３プレート１４５、１４６のそれぞれはガラス（ｇｌａｓｓ）からなることができ、工程の便宜上、同じ材料から形成されることができる。また、第２及び第３プレート１４５、１４６のそれぞれの縁部は方形状であり得るが、必ずしもこれに限定されない。
【００８８】
第２プレート１４５は、第１レンズ部１１０から入射する光が第１プレート１４７のキャビティＣＡの内部に進行するように許容する構成を有することができる。
【００８９】
第３プレート１４６は、第１プレート１４７のキャビティＣＡを通過した光が第２レンズ部１３０に進行するように許容する構成を有することができる。第３プレート１４６は第１液体ＬＱ１と直接接触することができる。
【００９０】
実施例によれば、第３プレート１４６は、第１プレート１４７の第３及び第４開口の中で広い開口の直径より大きな直径を有することができる。
【００９１】
また、液体レンズ１４２の実際有効レンズ領域は、第１プレート１４７の第３及び第４開口の中で広い開口の直径（例えば、Ｏ2）より小さくてもよい。例えば、液体レンズ１４２の中心部を基準に狭い範囲の半径が実際に光を伝達する経路として使われる場合、第３プレート１４６の中心領域の直径（例えば、Ｏ3）は第１プレート１４７の第３及び第４開口の中で広い開口の直径（例えば、Ｏ2）より小さくてもよい。
【００９２】
絶縁層１４８は、キャビティＣＡの上部領域で第２プレート１４５の下面の一部を覆うように配置されることができる。すなわち、絶縁層１４８は、第２液体ＬＱ２と第２プレート１４５との間に配置されることができる。
【００９３】
また、絶縁層１４８は、キャビティＣＡの側壁を成す上部電極Ｅ１〜Ｅ４の一部を覆うように配置されることができる。また、絶縁層１４８は、第１プレート１４７の下面で、上部電極Ｅ１〜Ｅ４の一部と、上部電極Ｅ１〜Ｅ４と下部電極ＣＯとの間に露出された第１プレート１４７の底面と、下部電極ＣＯの一部とを覆うように配置されることができる。これにより、上部電極Ｅ１〜Ｅ４と第１液体ＬＱ１との間の接触及び上部電極Ｅ１〜Ｅ４と第２液体ＬＱ２との間の接触が絶縁層１４８によって遮断されることができる。
【００９４】
絶縁層１４８は、例えばパリレンＣ（ｐａｒｙｌｅｎｅ  Ｃ）コーティング剤から具現化されることができ、白色染料をさらに含むこともできる。白色染料は、キャビティＣＡの側壁ｉを成す絶縁層１４８で光が反射される頻度を増加させることができる。
【００９５】
絶縁層１４８は、上部電極Ｅ１〜Ｅ４又は下部電極ＣＯの少なくとも一つの電極（例えば、上部電極Ｅ１〜Ｅ４）を覆い、他の一つの電極（例えば、下部電極ＣＯ）の一部を露出させ、伝導性の第１液体ＬＱ１に電気エネルギーが印加されるようにすることができる。
【００９６】
また、液体レンズ部１４０は、少なくとも一つの基板をさらに含むことができる。ここで、少なくとも一つの基板は、下部連結基板（又は、共通電極連結基板）１４４を含むことができる。
【００９７】
実施例によれば、複数の上部電極Ｅ１〜Ｅ４及び下部電極ＣＯに駆動電圧が印加されるとき、第１液体ＬＱ１と第２液体ＬＱ２との間の界面ＢＯが変形し、液体レンズ１４２の曲率のような形状又は焦点距離の少なくとも一つが変更（又は、調整）されることができる。例えば、駆動電圧に対応して液体レンズ１４２内に形成される界面ＢＯの屈曲又は傾斜度の少なくとも一つが変わって液体レンズ１４２の焦点距離が調整されることができる。このような界面ＢＯが変形するか曲率半径が制御されれば、液体レンズ１４２、液体レンズ１４２を含むレンズアセンブリー１１０、１２０、１３０、１４０、カメラモジュール１００Ａ及び光学機器はＡＦ機能、ＯＩＳ機能などを果たすことができる。
【００９８】
下部連結基板１４４は、液体レンズ１４２の下部又は側部の少なくとも一方に配置されて下部電極ＣＯと電気的に連結されることができる。
【００９９】
実施例によれば、液体レンズ１４２の上部に何の連結基板も配置されない。よって、メイン基板１５０から供給される互いに異なる４個の駆動電圧（又は、‘個別電圧’）は後述するベース１７２の上側接続部ＵＰを介して複数の上部電極Ｅ１〜Ｅ４の電極セクターにすぐ印加されることができる。具体的に、メイン基板１５０から供給される互いに異なる４個の個別電圧の一部は第１上側接続部ＵＰ１を介して第１上部電極（例えば、Ｅ１、Ｅ４）の電極セクターにすぐ印加され、互いに異なる４個の個別電圧の残りは第２上側接続部ＵＰ２を介して第２上部電極（例えば、Ｅ２、Ｅ３）の電極セクターにすぐ印加されることができる。
【０１００】
一方、メイン基板１５０から供給される駆動電圧（又は、‘共通電圧’）は後述するベース１７２の下側接続部ＬＰを介して下部連結基板１４４を経て下部電極ＣＯに印加されることができる。共通電圧はＤＣ電圧又はＡＣ電圧を含むことができ、共通電圧がパルス形態で印加される場合、パルスの幅又はデューティサイクル（ｄｕｔｙ  ｃｙｃｌｅ）は一定であり得る。
【０１０１】
図７を参照すると、下部連結基板１４４は、フレームＦ、内側端子部ＩＴ、及び第１及び第２外側端子部ＯＴ１、ＯＴ２を含むことができる。
【０１０２】
フレームＦは、液体レンズ１４２の下部又は側部の少なくとも一方に配置、付着又は結合される部分である。例えば、フレームＦは、液体レンズ１４２の側部に配置、付着又は結合されることができる。
【０１０３】
内側端子部ＩＴは、液体レンズ１４２に含まれた下部電極ＣＯの電極セクターと電気的に連結される部分である。液体レンズ１４２の下部電極ＣＯの電極セクターは、図７に示したように、液体レンズ１４２の四つの下部コーナーに配置される。よって、複数の電極セクターＣＯと電気的に連結されるために、内側端子部ＩＴは複数の電極セクターＣＯと向き合うようにフレームＦの内側角に配置されることができる。
【０１０４】
たとえ図示しなくても、複数の内側端子部ＩＴのそれぞれは貫通孔を含むことができる。この場合、複数の内側端子部ＩＴは貫通孔を通して液体レンズ１４２の下部電極の電極セクターＣＯと電気的に連結されることができる。例えば、伝導性物質、例えば伝導性エポキシ（ｃｏｎｄｕｃｔｉｖｅ  ｅｐｏｘｙ）が貫通孔に充填される場合、内側端子部ＩＴと下部電極の電極セクターＣ０は互いに接触、結合及び通電することができる。
【０１０５】
外側端子部はフレームＦから外側に、すなわちベース１７２に向かって突出した部分であり、第１及び第２外側端子部ＯＴ１、ＯＴ２を含むことができるが、実施例はこれに限られない。すなわち、他の実施例によれば、第１又は第２外側端子部ＯＴ１、ＯＴ２を省略することができる。第１外側端子部ＯＴ１はベース１７２の後述する下側接続部ＬＰに向かって突出し、下側接続部ＬＰと電気的に連結されることができる。
【０１０６】
前述した内側端子部ＩＴと外側端子部ＯＴ１、ＯＴ２のそれぞれの下面は平らなものとして図示されているが、実施例はこれに限られない。他の実施例によれば、図７で円形点線の内部に座標系とともに示したように、下部連結基板１４４は外側端子部ＯＴ１の下面からメイン基板１５０に向かう方向（例えば、−ｚ軸方向）に突出した形状を有する外側突出部ＯＰＴをさらに含むことができる。ここで、外側端子部（例えば、ＯＴ１）で、上面は凹形状ＯＲＴを有することができる。例えば、外側端子部（例えば、ＯＴ１）の上面をプレス工程で押圧する場合、外側突出部ＯＰＴと凹形状ＯＲＴが同時に形成されることができる。
【０１０７】
外側端子部ＯＴ１はベース１７２の下側接続部ＬＰと電気的に連結される部分である。よって、外側端子部ＯＴ１が外側突出部ＯＰＴを含む場合、外側端子部ＯＴ１がベース１７２の下側接続部ＬＰに安定的に電気的に連結されることができる。
【０１０８】
また、外側端子部ＯＴ１、ＯＴ２においてフレームＦに近い部分（以下、連結フレームＣＦ）は弾性を有することができる。第１外側端子部ＯＴ１の下面（又は、外側突出部ＯＰＴ）が下側接続部ＬＰに接触すると、弾性を有する連結フレームＣＦが備えられていなければ、第１外側端子部ＯＴ１の全体が弾性がないので、破損することもできる。これを防止するために、外側端子部ＯＴ１は弾性を有する連結フレームＣＦを含むことができる。
【０１０９】
たとえ図示しなくても、外側端子部ＯＴ１、ＯＴ２と同様に、内側端子部ＩＴもそのＩＴの上面は凹形状を有し、下面は内側突出部を有することができる。ここで、内側突出部は外側突出部ＯＰＴと同じ形状を有することができる。例えば、内側端子部ＩＴの上面をプレス工程で押圧する場合、内側突出部と凹形状が同時に形成されることができる。
【０１１０】
また、フレームＦは、内側端子部ＩＴとともに液体レンズ１４２を取り囲んで収容する形状を有することができる。これは、液体レンズ１４２を外部衝撃から保護するためである。すなわち、下部連結基板１４４のフレームＦと内側端子部ＩＴは、液体レンズ１４２が装着、着座、接触、固定、仮固定、支持、結合又は配置されることができる形状を有することができる。
【０１１１】
例えば、下部連結基板１４４はＦＰＣＢ又は単一メタル基板（伝導性メタルプレート）から具現化されることができる。他の実施例によれば、下部連結基板１４４はメイン基板１５０に向かってベンディングされる必要がないプレート形状であり得、プレートの素材は金属であり得る。
【０１１２】
一方、ベース１７２は液体レンズ部１４０とメイン基板１５０との間に配置され、メイン基板１５０から出力される駆動信号を液体レンズ部１４０に伝達する役割を果たす。
【０１１３】
図９は図３〜図６に示したベース１７２の一実施例の斜視図を示す。
【０１１４】
ベース１７２はイメージセンサー上に配置されることができ、ベース１７２はレンズホルダー１２０の第２ホールＨ２を取り囲むように配置されることができる。すなわち、レンズホルダー１２０はベース１７２に配置されることができ、ベースはレンズホルダー１２０を収容することができ、レンズホルダー１２の側面を取り囲むように配置されることができる。ベース１７２は、第２ホールＨ２を収容するための収容ホール１７２Ｈを含むことができる。収容ホール１７２Ｈの直径は第２ホールＨ２の外径以上であり得る。ここで、ベース１７２の収容ホール１７２Ｈと第２ホールＨ２の形状はそれぞれ円形であるものとして図示されているが、実施例はこれに限定されず、多様な形状に変更されることもできる。収容ホール１７２Ｈは、ベース１７２の中央付近に、カメラモジュール１００Ａに配置されたイメージセンサー１８２の位置に対応する位置に形成されることができる。収容ホール１７２Ｈは貫通ホールであってもよく、ブラインドホールであってもよい。
【０１１５】
ベース１７２はセンサーホルダー１７８に装着されることができ、センサーホルダー１７８を省略する場合、メイン基板１５０に装着されることができる。
【０１１６】
ベース１７２は、第１〜第４側壁ＳＷ１〜ＳＷ４を含むことができる。第１側壁ＳＷ１はレンズホルダー１２０の第１側部Ｓ１に対向し、第２側壁ＳＷ２はレンズホルダー１２０の第２側部Ｓ２に対向し、第３側壁ＳＷ３はレンズホルダー１２０の第４側部Ｓ４に対向し、第４側壁ＳＷ４はレンズホルダー１２０の第３側部Ｓ３に対向することができる。第３及び第４側壁ＳＷ３、ＳＷ４は第１側壁ＳＷ１と第２側壁ＳＷ２との間に互いに対向するように配置されることができる。
【０１１７】
また、ベース１７２は、上側接続部ＵＰ及び下側接続部ＬＰを含むことができる。上側接続部ＵＰは、上部電極Ｅ１〜Ｅ４とメイン基板１５０を電気的に連結することができる。下側接続部ＬＰは、下部連結基板１４４とメイン基板１５０を電気的に連結することができる。すなわち、下部連結基板１４４の外側端子部ＯＴ１はベース１７２に向かって突出し、下側接続部ＬＰと電気的に連結されることができる。
【０１１８】
上側接続部ＵＰ及び下側接続部ＬＰは、ベース１７２の第１、第２、第３又は第４側壁ＳＷ１〜ＳＷ４の少なくとも一部の表面上に配置されることができる。上側接続部ＵＰ及び下側接続部ＬＰが配置されるベース１７２の表面は、図示のように、各側壁ＳＷ１〜ＳＷ４の外側表面及び上部表面であってもよく、図示のものとは違い、各側壁ＳＷ１〜ＳＷ４の内側表面であってもよい。
【０１１９】
ベース１７２は、上側接続部ＵＰが配置される第１端部と下側接続部ＬＰが配置される第２端部とを含むことができる。第１端部と第２端部は相互間に段差を有するように形成されることができる。上側接続部は一つ又は二つ以上であり得る。これにより、ベースは、複数の上側接続部がそれぞれ配置されるように一つ又は二つ以上の第１端部を含むことができる。ベースは、上側接続部が配置される突出部を含むことができる。突出部の一端は第１端部であり得る。突出部の個数は、液体レンズの上部に配置される電極の個数に対応することができる。下側接続部は一つ又は二つ以上であり得る。これにより、ベースは、下側接続部が配置される一つ又は二つ以上の第２端部を含むことができる。ベースは、下側接続部が配置される溝を含むことができる。下側接続部が配置される溝は上側接続部が配置される突出部の間に配置されることができる。下側接続部が配置される溝の個数は液体レンズの下部に配置される電極の個数に対応することができる。また、突出部と溝の高低差は液体レンズの上部電極と下部電極の高低差に対応することができる。第１端部と第２端部の位置は液体レンズの上部電極の上面と下部電極の下面に対応する位置であり得る。図９に基づいて一実施例を説明すれば、液体レンズの上部には複数の個別電極が配置され、液体レンズの下部には一つの共通電極が配置されるので、ベースは、上側接続部が配置される４個の突出部と下側接続部が配置される一つの溝とを含むことができる。このようなベースの形状及び連結部の配置によって液体レンズの電極を外部に連結させることが容易である。
【０１２０】
ベースは、第１上側端子部と下側端子部が配置される第１壁、第１壁と向き合い、第１壁から離隔し、第１上側端子部と違う第２上側端子部が配置される第２壁、及び第１壁と第２壁を連結する連結壁を含むことができる。連結壁の光軸方向への最大高は第１壁又は第２壁の光軸方向への最大高より低くてもよい。第２上側端子部は第２壁に沿って延び、第１壁の側面に延びて配置されることができる。第１上側端子部と下側端子部は第１壁の側面に延びて配置されることができる。第１上側端子部及び第２上側端子部、そして下側端子部は第１壁の下端まで延びて配置されることができる。ベースの第１壁と第２壁はそれぞれホルダーの第１開口と第２開口に対応する位置に配置されることができる。端子部を配置し延ばして、ベースの一側壁で電気信号を印加することができるようにすることができるので、組立及び制御を容易になすことができる。
【０１２１】
上側接続部ＵＰは、第１上側接続部ＵＰ１及び第２上側接続部ＵＰ２を含むことができる。
【０１２２】
第１上側接続部ＵＰ１は、上部電極Ｅ１〜Ｅ４の中で第１開口ＯＰ１に隣り合う第１上部電極Ｅ１、Ｅ４とメイン基板１５０を電気的に連結することができる。このために、第１上側接続部ＵＰ１は、第１−１上側接続部ＵＰ１１及び第１−２上側接続部ＵＰ１２を含むことができる。第１−１上側接続部ＵＰ１１は、上部電極Ｅ１〜Ｅ４の中で第１開口ＯＰ１に隣り合う第１上部電極Ｅ１、Ｅ４の一つＥ１とメイン基板１５０を電気的に連結することができる。第１−２上側接続部ＵＰ１２は、上部電極Ｅ１〜Ｅ４の中で第１開口ＯＰ１に隣り合う第１上部電極Ｅ１、Ｅ４の他の一つＥ４とメイン基板１５０を電気的に連結することができる。
【０１２３】
第２上側接続部ＵＰ２は、上部電極Ｅ１〜Ｅ４の中で第２開口ＯＰ２に隣り合う第２上部電極Ｅ２、Ｅ３とメイン基板１５０を電気的に連結することができる。このために、第２上側接続部ＵＰ２は、第２−１上側接続部ＵＰ２１及び第２−２上側接続部ＵＰ２２を含むことができる。第２−１上側接続部ＵＰ２１は、上部電極Ｅ１〜Ｅ４の中で第２開口ＯＰ２に隣り合う第２上部電極Ｅ２、Ｅ３の一つＥ２とメイン基板１５０を電気的に連結することができる。第２−２上側接続部ＵＰ２２は、上部電極Ｅ１〜Ｅ４の中で第２開口ＯＰ２に隣り合う第２上部電極Ｅ２、Ｅ３の他の一つＥ３とメイン基板１５０を電気的に連結することができる。
【０１２４】
また、第１上側接続部ＵＰ１は、第１上側端子部及び第２上側端子部を含むことができる。すなわち、第１上側接続部ＵＰ１の中で第１−１上側接続部ＵＰ１１は、第１側壁ＳＷ１の第１上面１７２Ｓ１に配置され、第１上部電極Ｅ１、Ｅ４の一つＥ１と連結された第１上側端子部ＵＴ１１、及び第１側壁ＳＷ１の側面で第１上側端子部ＵＴ１１とメイン基板１５０との間に配置された第２上側端子部ＵＴ１２を含むことができる。第１上側接続部ＵＰ１の中で第１−２上側接続部ＵＰ１２は、第１側壁ＳＷ１の第１上面１７２Ｓ２に配置され、第１上部電極Ｅ１、Ｅ４の他の一つＥ４と連結された第１上側端子部ＵＴ２１、及び第１側壁ＳＷ１の側面で第１上側端子部ＵＴ２１とメイン基板１５０との間に配置された第２上側端子部ＵＴ２２を含むことができる。
【０１２５】
また、第２上側接続部ＵＰ２は、第３上側端子部、端子連結部及び第４上側端子部を含むことができる。第２上側接続部ＵＰ２の中で第２−１上側接続部ＵＰ２１は、第３上側端子部ＵＴ１３、端子連結部ＴＣ１及び第４上側端子部ＵＴ１４を含むことができる。第３上側端子部ＵＴ１３は第２側壁ＳＷ２の第２上面１７２Ｓ３に配置され、第２上部電極Ｅ２、Ｅ３の一つＥ２と連結されることができる。端子連結部ＴＣ１は第３上側端子部ＵＴ１３から第３又は第４側壁ＳＷ３、ＳＷ４の一つＳＷ３を介して第１側壁ＳＷ１まで延びて配置されることができる。第４上側端子部ＵＴ１４は、第１側壁ＳＷ１の側面で端子連結部ＴＣ１とメイン基板１５０との間に配置されることができる。
【０１２６】
第２上側接続部ＵＰ２中で第２−２上側接続部ＵＰ２２は、第３上側端子部ＵＴ２３、端子連結部ＴＣ２及び第４上側端子部ＵＴ２４を含むことができる。第３上側端子部ＵＴ２３は第２側壁ＳＷ２の第２上面１７２Ｓ４に配置され、第２上部電極Ｅ２、Ｅ３の他の一つＥ３と連結されることができる。端子連結部ＴＣ２は、第３上側端子部ＵＴ２３から第３又は第４側壁ＳＷ３、ＳＷ４の他の一つＳＷ４を通して第１側壁ＳＷ１まで延びて配置されることができる。第４上側端子部ＵＴ２４は、第１側壁ＳＷ１の側面で端子連結部ＴＣ２とメイン基板１５０との間に配置されることができる。
【０１２７】
また、下側接続部ＬＰは、第１下側端子部ＬＰ１及び第２下側端子部ＬＰ２を含むことができる。第１下側端子部ＬＰ１は第１側壁ＳＷ１の第３上面１７２Ｓ５に配置され、下側連結基板１４４の外側端子部ＯＴ１と連結されることができる。第２下側端子部ＬＰ２は、第１側壁ＳＷ１の側面で第１下側端子部ＬＰ１とメイン基板１５０との間に配置されることができる。
【０１２８】
第１側壁ＳＷ１の外表面で、第２上側端子部ＵＴ１２、ＵＴ２２、第４上側端子部ＵＴ１４、ＵＴ２４及び第２下側端子部ＬＰ２は互いに離隔して配置されることができる。これは、相互間の電気的な短絡を防止するためである。
【０１２９】
また、第１〜第３上面１７２Ｓ１〜１７２Ｓ５の高低は互いに異なることができる。
【０１３０】
また、図３を参照すると、第２上側端子部ＵＴ１２、ＵＴ２２、第４上側端子部ＵＴ１４、ＵＴ２４及び第２下側端子部ＬＰ２のそれぞれは、第１、第２及び第３部分を含むことができる。例えば、第４上側端子部ＵＴ１４は、第１〜第３部分Ｐ１〜Ｐ３を含むことができる。第１部分Ｐ１は第３幅Ｗ３を有し、第２部分Ｐ２は第４幅Ｗ４を有し、第３部分Ｐ３は第５幅Ｗ５を有することができる。ここで、第４幅Ｗ４は第３幅Ｗ３より大きく、第５幅Ｗ５は第４幅Ｗ４より大きくなることができる。第１部分Ｐ１は第１上側端子部ＵＴ１１、ＵＴ２１、第３上側端子部ＵＴ１３、ＵＴ２３又は第１下側端子部ＬＰ１と接する部分である。第２部分Ｐ２はメイン基板１５０の第１〜第３パッドＰ１１、Ｐ１２、Ｐ２１、Ｐ２２、Ｐ３と接する部分であり、第３部分Ｐ３は第１部分Ｐ１と第２部分Ｐ２との間に配置される部分である。
【０１３１】
第２部分Ｐ２の第４幅Ｗ４が広い場合、第１〜第３パッドＰ１１、Ｐ１２、Ｐ２１、Ｐ２２、Ｐ３と第２部分Ｐ２との間の電気的接触が安定になることができる。
【０１３２】
また、第３部分Ｐ３は、アクティブアラインを遂行するとき、液体レンズ１４２に駆動電圧を印加するために、グリッパーによって把持されることができ、この部分Ｐ３の第５幅Ｗ５が広いほど、アクティブアラインが遂行されるうち液体レンズ１４２に駆動電圧が安定に供給されることができる。
【０１３３】
また、第１上部電極Ｅ１、Ｅ４と第１上側端子部ＵＴ１１、ＵＴ２１は金属エポキシ（例えば、Ａｇエポキシ）、溶接、ソルダリング又はワイヤボンディングの少なくとも一つによって互いに電気的に連結されることができる。第２上部電極Ｅ２、Ｅ３と第３上側接続部ＵＴ１３、ＵＴ２３も金属エポキシ、溶接、ソルダリング又はワイヤボンディングの少なくとも一つによって互いに電気的に連結されることができる。外側端子部ＯＴ１と第１下側端子部ＬＰ１も金属エポキシ、溶接、ソルダリング又はワイヤボンディングの少なくとも一つによって互いに電気的に連結されることができる。
【０１３４】
例えば、図６を参照すると、第１上部電極Ｅ１、Ｅ４と第１上側端子部ＵＴ１１、ＵＴ２１は第１及び第４ワイヤ１７４ａ１、１７４ａ４を介してそれぞれ電気的に連結されることができる。第２上部電極Ｅ２、Ｅ３と第３上側接続部ＵＴ１３、ＵＴ２３は第２及び第３ワイヤ１７４ａ２、１７４ａ３を介してそれぞれ連結されることができる。
【０１３５】
また、図６を参照すると、上側接続部ＵＰ１１、ＵＰ１２は平面上で上部電極Ｅ１〜Ｅ４に隣り合って配置されることができる。すなわち、上側接続部ＵＰ１、ＵＰ２の中で、第１上側端子部ＵＴ１１、ＵＴ２１は平面上で第１上部電極Ｅ１、Ｅ４にそれぞれ隣り合って配置されることができ、上側接続部ＵＰ１、ＵＰ２の中で、第３上側端子部ＵＴ１３、ＵＴ２３は平面上で第２上部電極Ｅ２、Ｅ３にそれぞれ隣り合って配置されることができる。このように隣り合って配置される場合、隣り合う部分間の電気的連結が容易になることができる。
【０１３６】
上側接続部ＵＰ及び下側接続部ＬＰのそれぞれは、図示のように、ベース１７２の表面に形成された表面電極又は表面電極パターンであり得るが、実施例は上側接続部ＵＰ及び下側接続部ＬＰのそれぞれの特定の形態に限られない。
【０１３７】
前述したように、上側接続部ＵＰ及び下側接続部ＬＰがその表面に配置されるようにベース１７２をＭＩＤ（Ｍｏｌｄｅｄ  Ｉｎｔｅｒｃｏｎｎｅｃｔ  Ｄｅｖｉｃｅ）型に設計することができる。
【０１３８】
また、ベース１７２の複数の側壁の中で一側壁（例えば、ＳＷ１）のみに上側接続部ＵＰ及び下側接続部ＬＰが配置されるので、上側接続部ＵＰ及び下側接続部ＬＰがベース１７２の複数の側壁の中で互いに異なる側壁に配置されるときより、カメラモジュール１００Ａの光軸ＬＸに垂直な水平面積が減少することができる。
【０１３９】
一方、フィルター１７６はベース１７２とイメージセンサー１８２との間に配置され、第１レンズ部１１０、液体レンズ部１４０及び第２レンズ部１３０を通過した光に対して特定の波長範囲に相当する光をフィルタリングすることができる。フィルター１７６は赤外線を遮断する赤外線（ＩＲ）遮断フィルター又は紫外線を遮断する紫外線（ＵＶ）遮断フィルターであり得るが、実施例はこれに限定されない。フィルター１７６はイメージセンサー１８２上に配置されることができる。このような赤外線又は紫外線遮断用フィルター１７６はセンサーホルダー１７８の内部に配置されることができる。例えば、フィルター１７６はセンサーホルダー１７８の内部溝又は段差に配置されるか装着されることができる。
【０１４０】
センサーホルダー１７８はベース１７２の下部に配置され、メイン基板１５０に付着されることができる。センサーホルダー１７８はイメージセンサー１８２を取り囲み、イメージセンサー１８２を外部の異物又は衝撃から保護することができる。
【０１４１】
センサーホルダー１７８上にベース１７２、第２レンズ部１３０、液体レンズ部１４０及び第１レンズ部１１０が配置されたレンズホルダー１２０が配置されることができる。
【０１４２】
一方、メイン基板１５０はベース１７２の下部に配置され、メイン基板１５０において光軸ＬＸと交差する平面にイメージセンサー１８２が装着、着座、接触、固定、仮固定、支持、又は結合されることができる。もしくは、他の実施例によれば、メイン基板１５０にイメージセンサー１８２を収容することができる溝（図示せず）が形成されることもでき、実施例はイメージセンサー１８２がメイン基板１５０に配置される特定の形態に限られない。
【０１４３】
メイン基板１５０は、駆動電圧を供給する第１〜第３パッドＰ１１、Ｐ１２、Ｐ２１、Ｐ２２、Ｐ３を含むことができる。メイン基板１５０から供給される駆動電圧は第１〜第３パッドＰ１１、Ｐ１２、Ｐ２１、Ｐ２２、Ｐ３と上部及び下側接続部ＵＰ、ＬＰを介して液体レンズ１４２に供給されることができる。
【０１４４】
一方、カバー１７０はレンズホルダー１２０、液体レンズ部１４０及びベース１７２を取り囲むように配置され、これら１２０、１４０、１７２を外部の衝撃から保護することができる。特に、カバー１７０が配置されることにより、光学系を形成する複数のレンズを外部衝撃から保護することができる。
【０１４５】
また、レンズホルダー１２０に配置される第１レンズ部１１０が外部光に露出されるように、カバー１７０は、そのカバー１７０の上面に形成された上側開口１７０Ｈを含むことができる。
【０１４６】
また、上側開口１７０Ｈはホールであり得るし、又はホールに光透過性物質から構成されたウィンドウが配置されることができる。これにより、カメラモジュール１００Ａの内部にほこりや水分などの異物が浸透することを防止することができる。
【０１４７】
イメージセンサー１８２は、レンズアセンブリー１１０、１２０、１３０、１４０の第１レンズ部１１０、液体レンズ部１４０及び第２レンズ部１３０を通過した光をイメージデータに変換する機能を果たすことができる。より具体的に、イメージセンサー１８２は、複数のピクセルを含むピクセルアレイを介して光をアナログ信号に変換し、アナログ信号に相応するデジタル信号を合成してイメージデータを生成することができる。
【０１４８】
メイン基板１５０は、液体レンズ部１４０及びイメージセンサー１８２を制御する制御モジュールを構成することができる。ここで、制御モジュールについては、図１０を参照して以下で説明する。
【０１４９】
図１０はカメラモジュール２００の概略ブロック図である。
【０１５０】
図１０を参照すると、カメラモジュール２００は、制御回路２１０及びレンズアセンブリー２５０を含むことができる。制御回路２１０は図１に示した制御回路２４に相当し、レンズアセンブリー２５０は図１に示したレンズアセンブリー２２又は図４に示したレンズアセンブリー１１０、１２０、１３０、１４０に相当することができる。
【０１５１】
制御回路２１０は制御部２２０を含むことができ、液体レンズ２８０を含む液体レンズ部１４０の動作を制御することができる。ここで、液体レンズ２８０は前述した液体レンズ１４２に相当することができる。
【０１５２】
制御部２２０は、ジャイロセンサー２２５、コントローラー２３０及び電圧ドライバー２３５を含むことができる。ジャイロセンサー２２５は制御部２２０に含まれていない独立した構成であってもよく、制御部２２０に含まれることもできる。
【０１５３】
ジャイロセンサー２２５は、光学機器の上下及び左右への手ぶれを補償するために、ヨー（Ｙａｗ）軸とピッチ（Ｐｉｔｃｈ）軸の２方向の動きの角速度を感知することができる。ジャイロセンサー２２５は、感知された角速度に相応する動き信号を生成してコントローラー２３０に提供することができる。
【０１５４】
コントローラー２３０は、ＯＩＳ機能を具現化するために、低域通過フィルター（ＬＰＦ：Ｌｏｗ  Ｐａｓｓ  Ｆｉｌｔｅｒ）を用いて動き信号から高周波数のノイズ成分を除去して所望帯域のみ抽出し、ノイズの除去された動き信号を使って手ぶれ量を計算し、計算された手ぶれ量を補償するために、液体レンズモジュール２６０の液体レンズ２８０が有しなければならない形状に対応する駆動電圧を計算することができる。
【０１５５】
コントローラー２３０は、光学機器又はカメラモジュール２００の内部（例えば、イメージセンサー１８２）又は外部（例えば、距離センサー又はアプリケーションプロセッサ）からＡＦ機能のための情報（すなわち、客体との距離情報）を受信することができ、距離情報から客体に焦点を合わせるための焦点距離によって液体レンズ２８０が有しなければならない形状に対応する駆動電圧を計算することができる。
【０１５６】
コントローラー２３０は、駆動電圧と駆動電圧を電圧ドライバー２３５が生成するようにするための駆動電圧コードをマッピングした駆動電圧テーブルを保存することができ、計算された駆動電圧に対応する駆動電圧コードを駆動電圧テーブルを参照して獲得し、獲得された駆動電圧コードを電圧ドライバー２３５に出力することができる。
【０１５７】
電圧ドライバー２３５は、コントローラー２３０から提供されたデジタル形態の駆動電圧コードに基づき、駆動電圧コードに相応するアナログ形態の駆動電圧を生成してレンズアセンブリー２５０に提供することができる。
【０１５８】
電圧ドライバー２３５は、供給電圧（例えば、別途の電源回路から供給された電圧）を受けて電圧レベルを増加させる電圧ブースター、電圧ブースターの出力を安定させるための電圧安定器、及び液体レンズ２８０の各端子に電圧ブースターの出力を選択的に供給するためのスイッチング部を含むことができる。
【０１５９】
ここで、スイッチング部はＨブリッジ（Ｈ  Ｂｒｉｄｇｅ）と呼ばれる回路の構成を含むことができる。電圧ブースターから出力された高電圧がスイッチング部の電源電圧に印加される。スイッチング部は、印加される電源電圧とグラウンド電圧（ｇｒｏｕｎｄ  ｖｏｌｔａｇｅ）を選択的に液体レンズ２８０の両端に供給することができる。
【０１６０】
また、電圧ドライバー２３５がコントローラー２３０から提供されたデジタル形態の駆動電圧コードによって液体レンズ２８０に印加される駆動電圧を制御するために、電圧ブースターは増加する電圧レベルを制御し、スイッチング部は共通電極と個別電極に印加されるパルス電圧の位相を制御することにより、駆動電圧コードに相応するアナログ形態の駆動電圧が生成されるようにする。
【０１６１】
すなわち、制御部２２０は、上部電極Ｅ１〜Ｅ４と下部電極ＣＯのそれぞれに印加される電圧を制御することができる。
【０１６２】
制御回路２１０は、制御回路２１０の通信又はインターフェースの機能を果たすコネクター（図示せず）をさらに含むことができる。例えば、Ｉ２Ｃ（Ｉｎｔｅｒ−Ｉｎｔｅｇｒａｔｅｄ  Ｃｉｒｃｕｉｔ）通信方式を使う制御回路２１０とＭＩＰＩ（Ｍｏｂｉｌｅ  Ｉｎｄｕｓｔｒｙ  Ｐｒｏｃｅｓｓｏｒ  Ｉｎｔｅｒｆａｃｅ）通信方式を使うレンズアセンブリー２５０との間の通信のために、コネクターは通信プロトコル変換を遂行することができる。また、コネクターは、外部（例えば、バッテリー）から電源を受け、制御部２２０及びレンズアセンブリー２５０の動作に必要な電源を供給することができる。
【０１６３】
レンズアセンブリー２５０は液体レンズモジュール２６０を含むことができ、液体レンズモジュール２６０は駆動電圧提供部２７０及び液体レンズ２８０を含むことができる。
【０１６４】
駆動電圧提供部２７０は、電圧ドライバー２３５から駆動電圧を受け、液体レンズ２８０に駆動電圧を提供することができる。
【０１６５】
駆動電圧提供部２７０は、制御回路２１０とレンズアセンブリー２５０との間の端子連結による損失を補償するための電圧調整回路（図示せず）又はノイズ除去回路（図示せず）を含むこともでき、又は電圧ドライバー２３５から提供される電圧を液体レンズ２８０にバイパス（ｂｙｐａｓｓ）することもできる。
【０１６６】
駆動電圧提供部２７０はコネクターの少なくとも一部を構成するＦＰＣＢ（又は、基板）に配置されることができるが、実施例はこれに限定されない。コネクターは駆動電圧提供部２７０を含むことができる。
【０１６７】
液体レンズ２８０は、駆動電圧によって第１液体ＬＱ１と第２液体ＬＱ２との間の界面ＢＯが変形してＡＦ機能又はＯＩＳ機能の少なくとも一つを果たすことができる。
【０１６８】
以下、前述した実施例によるカメラモジュール１００Ａの製造方法を説明する。
【０１６９】
図１１（ａ）〜図１１（ｆ）は前述した実施例によるカメラモジュール１００Ａの製造方法を説明するための工程斜視図である。ここで、前述した実施例によるカメラモジュール１００Ａの各部材と同一の部材に対しては同じ参照符号を使い、重複する説明は省略する。
【０１７０】
説明の便宜上、たとえ図示しなくても、レンズホルダー１２０に第１レンズ部１１０と第２レンズ部１３０を装着し、メイン基板１５０上にイメージセンサー１８２とセンサーホルダー１７８を結合した後、図１１（ａ）〜図１１（ｆ）に示した工程を遂行すると仮定する。しかし、これと違う場合にも下記の説明を適用することができる。
【０１７１】
その後、図１１（ａ）を参照すると、液体レンズ１４２を下部連結基板１４４に連結する。このために、伝導性（例えば、Ａｇ）を有するエポキシ又は熱エポキシを用いることができる。
【０１７２】
その後、図１１（ｂ）を参照すると、液体レンズ部１４０をレンズホルダー１２０の内部に挿入して配置する。
【０１７３】
その後、図１１（ｃ）を参照すると、レンズホルダー１２０をベース１７２の収容ホール１７２Ｈに挿入して結合する。
【０１７４】
その後、図１１（ｄ）を参照すると、参照符号４０２〜４０８で示したように、上部電極Ｅ１〜Ｅ４と上側接続部ＵＰが平面上で互いに対向するように配置された状態で、伝導性金属（例えば、Ａｇエポキシ）エポキシ、溶接、ソルダリング又はワイヤボンディングの少なくとも一つを用いて上部電極Ｅ１〜Ｅ４と上側接続部ＵＰを互いに電気的に連結する。
【０１７５】
その後、図１１（ｅ）を参照すると、ベース１７２の第１側壁ＳＷ１で第３部分Ｐ３をグリッパー５００が把持した状態で液体レンズ部１４０の液体レンズ１４２に駆動電圧を供給しながら第１レンズ部１１０及び第２レンズ部１３０と液体レンズ部１４０との間の相対位置を調節して第１レンズ部１１０、第２レンズ部１３０及び液体レンズ１４２のそれぞれの光軸を一致させるアクティブアラインを１次的に遂行する。
【０１７６】
その後、第１及び第２レンズ部１１０、１３０と液体レンズ部１４０を結合する。この際、ＵＶ硬化又は熱硬化の少なくとも一つを用いて第１及び第２レンズ部１１０、１３０と液体レンズ部１４０を結合することができる。
【０１７７】
その後、ベース１７２をグリッパーが把持した状態で多様な位置に可変させながらイメージセンサー１８２とレンズホルダー１２０との間の相対位置を調節して第１レンズ部１１０、液体レンズ１４２、第２レンズ部１３０及びイメージセンサー１８２のそれぞれの光軸を一致させるアクティブアラインを２次的に遂行する。
【０１７８】
その後、図１１（ｆ）を参照すると、ベース１７２の第１側壁ＳＷ１の第２部分Ｐ２とメイン基板１５０の第１〜第３パッドＰ１１、Ｐ１２、Ｐ２１、Ｐ２２、Ｐ３をソルダリングなどを用いて互いに電気的に連結する。
【０１７９】
その後、レンズホルダー１２０とベース１７２を取り囲むようにカバー１７０を被せることができる。
【０１８０】
また、前述した説明で、各部材を結合させるエポキシは、ＵＶ硬化を１次的に遂行した後、熱硬化を２次的に遂行することができるが、実施例はエポキシを硬化させる特定の方法に限られない。
【０１８１】
一方、実施例によるカメラモジュール１００Ａと比較例によるカメラモジュールを次のように説明する。
【０１８２】
比較例によるカメラモジュールの場合、液体レンズ部、メイン基板、及び第１及び第２フレキシブルプリント基板を含む。比較例によるカメラモジュールの液体レンズ部、メイン基板及び第２フレキシブルプリント基板は、実施例によるカメラモジュール１００Ａの液体レンズ部１４０、メイン基板１５０及び下部連結基板１４４とそれぞれ同じ機能を果たす。比較例によるカメラモジュールで、第１フレキシブルプリント基板は液体レンズ部とメイン基板を電気的に連結する役割を果たす。
【０１８３】
また、比較例によるカメラモジュールの場合、液体レンズ部は、第１電極、第２電極、スペーサー及び液体レンズを含む。ここで、第１電極、第２電極及び液体レンズは、実施例によるカメラモジュール１００Ａの上部電極Ｅ１〜Ｅ４、下部電極ＣＯ及び液体レンズ１４２とそれぞれ同じ機能を果たす。
【０１８４】
比較例によるカメラモジュールの場合、液体レンズ部とメイン基板を電気的に連結するために、液体レンズ部と連結された第１及び第２フレキシブルプリント基板のそれぞれをベンディング（ｂｅｎｄｉｎｇ）してメイン基板と電気的に連結させる。これにより、次のように様々な問題が発生することができる。
【０１８５】
メイン基板のサイズが小さくなるほどベンディングされた第１及び第２フレキシブルプリント基板とメイン基板との間の接触が一致しなくてずれるため、第１及び第２フレキシブルプリント基板とメイン基板との間の電気的連結に不良が発生し得る。
【０１８６】
また、液体レンズ部と第１及び第２フレキシブルプリント基板との間の連結にも不良が発生することができる。特に、サイズの小さな第１及び第２フレキシブルプリント基板であればあるほど切れるか浮き上がることができ、第１及び第２フレキシブルプリント基板の信頼性が低下することができる。
【０１８７】
また、第１及び第２フレキシブルプリント基板がベンディングされなければならないので、第１及び第２フレキシブルプリント基板を設計するとき、設計条件としてベンディングを考慮しなければならないなど、設計上の制約条件が伴う。
【０１８８】
一方、実施例によるカメラモジュール１００Ａの場合、レンズホルダー１２０の構造、ベース１７２の構造及び液体レンズ部１４０の構造を変形させることで、上部電極Ｅ１〜Ｅ４が比較例の第１フレキシブルプリント基板のような部材の助けなしに、ベース１７２の表面に配置された上側接続部ＵＰを介してメイン基板１５０に電気的に連結されることができる。仮に、比較例のように液体レンズ上に第１フレキシブルプリント基板が配置される場合、第１フレキシブルプリント基板のｘ軸の長さが最小で０．４５ｍｍ、ｙ軸の長さが最小で０．８５ｍｍ程度に確保されなければならない。しかし、実施例の場合、第１フレキシブルプリント基板を要求しないので、カメラモジュール１００Ａにおいて光軸に垂直な水平面積が減少してサイズが小型化することができ、第１フレキシブルプリント基板と上部電極を連結するための工程が不必要になって製造コストを節減することができる。
【０１８９】
比較例の場合、メイン基板からの駆動電圧を液体レンズに伝達する第１及び第２フレキシブルプリント基板（ＦＰＣＢ）をベンディングしてメイン基板に直接連結させるので、第１及び第２フレキシブルプリント基板をベンディングすることにより、第１及び第２フレキシブルプリント基板とメイン基板が互いに接触する部位で発生する公差が大きくなることができる。しかし、実施例のように、第１フレキシブルプリント基板を要求しないだけでなく、ベース１７２の下側接続部ＬＰが下部連結基板１４４とメイン基板１５０を互いに電気的に連結させることにより、下部連結基板１４４をベンディングしないので、下部連結基板１４４とベース１７２が互いに接触する部位での公差が比較例より小さい。このように、公差の精度が改善されるので、下部連結基板１４４はメイン基板１５０と電気的に確かに連結されることができる。
【０１９０】
また、比較例の場合、液体レンズを保護するために、スペーサーを要求する。一方、実施例によれば、下部連結基板１４４の構成が液体レンズ１４２を取り囲んで保護する形状を有するので、液体レンズ部１４０はスペーサーを要求しない。したがって、構成要素が減ってサイズが小さくなり、製造コストを節減することができる。
【０１９１】
また、第１及び第２フレキシブルプリント基板をベンディングする場合、メイン基板の大きさが小さければ、各フレキシブルプリント基板とメイン基板との間の電気的接触がずれることがあるが、実施例の場合、メイン基板１５０の大きさが小さいとしても、下部連結基板１４４とメイン基板１５０との間の電気的接触がずれないので、メイン基板１５０（又は、カメラモジュール１００Ａ）の大きさをもっと減らすことができる。
【０１９２】
また、液体レンズ部１４０と下部連結基板１４４との間の電気的連結にも不良が発生しない。特に、下部連結基板１４４の大きさが小さいとしても切れるか浮き上がることがなくて下部連結基板１４４の信頼性が高くなる。
【０１９３】
また、上側及び下側接続部ＵＰ、ＬＰに第３部分Ｐ３を備えることにより、アクティブアラインの際に上側及び下側接続部ＵＰ、ＬＰを介しての液体レンズ１４２への駆動電圧の供給が容易になり、アクティブアライン工程作業が容易でありながらも正確に遂行されることができ、カメラモジュールの信頼性が改善されることができる。
【０１９４】
また、スペーサー、第１フレキシブルプリント基板などの部品の個数が比較例より少ないので、アクティブアラインなどの製造工程が早くなることができる。
【０１９５】
一方、前述した実施例によるレンズアセンブリーを含むカメラモジュール１００Ａを用いて光学機器を具現化することができる。ここで、光学機器としては、光信号を加工するか分析することができる装置を含むことができる。光学機器の例としては、カメラ／ビデオ装置、望遠鏡装置、顕微鏡装置、干渉計装置、光度計装置、偏光計装置、分光計装置、反射計装置、オートコリメータ装置、レンズメーター装置などがあり得るし、レンズアセンブリーを含むことができる光学機器に本実施例を適用することができる。
【０１９６】
また、光学機器は、スマートフォン、ノートブック型コンピュータ、タブレット型コンピュータなどの携帯用装置に具現化されることができる。このような光学機器は、カメラモジュール１００Ａ、映像を出力するディスプレイ部（図示せず）、カメラモジュール１００Ａに電源を供給するバッテリー（図示せず）、及びカメラモジュール１００Ａとディスプレイ部とバッテリーとを実装する本体ハウジングを含むことができる。光学機器は、他の機器と通信することができる通信モジュールと、データを記憶することができるメモリ部とをさらに含むことができる。通信モジュールとメモリ部も本体ハウジングに実装されることができる。
【０１９７】
実施例に基づいて前述したように、いくつかのみ記述したが、その他にも多様な形態の実施が可能である。前述した実施例の技術的内容は互いに両立することができない技術ではない限り、多様な形態に組み合わせられることができ、これにより新しい実施形態に具現化されることもできる。
【０１９８】
実施例は本発明の精神及び必須特徴から逸脱しない範囲で他の特定の形態に具体化することができることは当業者に明らかである。したがって、前記詳細な説明は全ての面で制限的に解釈されてはいけなくて例示的なものとして考慮されなければならない。本発明の範囲は添付の請求項の合理的解釈によって決定されなければならず、本発明の等価的範囲内の全ての変更は本発明の範囲に含まれる。
【０１９９】
［発明の実施のための形態］
発明の実施のための形態は前述した“発明を実施するための形態”で充分に説明された。
【産業上の利用可能性】
【０２００】
実施例によるカメラモジュールは、カメラ／ビデオ装置、望遠鏡装置、顕微鏡装置、干渉計装置、光度計装置、偏光計装置、分光計装置、反射計装置、オートコリメータ装置、レンズメーター装置、スマートフォン、ノートブック型コンピュータ、タブレット型コンピュータなどに適用可能である。
【図１】
2021511548.tif 000003
【図２】
2021511548.tif 000004
【図３】
2021511548.tif 000005
【図４】
2021511548.tif 000006
【図５】
2021511548.tif 000007
【図６】
2021511548.tif 000008
【図７】
2021511548.tif 000009
【図８】
2021511548.tif 000010
【図９】
2021511548.tif 000011
【図１０】
2021511548.tif 000012
【図１１（ａ）】
2021511548.tif 000013
【図１１（ｂ）】
2021511548.tif 000014
【図１１（ｃ）】
2021511548.tif 000015
【図１１（ｄ）】
2021511548.tif 000016
【図１１（ｅ）】
2021511548.tif 000017
【図１１（ｆ）】
2021511548.tif 000018
【手続補正書】
【提出日】令和2年9月29日(2020.9.29)
【手続補正１】
【補正対象書類名】明細書
【補正対象項目名】０００９
【補正方法】変更
【補正の内容】
【０００９】
例えば、前記レンズホルダーは、第１開口を有する第１側部と、前記第１開口と光軸方向に垂直な方向に対面する第２開口を有する第２側部と、前記第１及び第２開口とともに前記液体レンズ部の前記上部電極を前記ベースに向けて露出させる形状を有する上部とを含み、前記上側接続部は、前記露出された上部電極の中で、前記第１開口に隣り合う第１上部電極と前記メイン基板を電気的に連結する第１上側接続部と、前記露出された上部電極の中で、前記第２開口に隣り合う第２上部電極と前記メイン基板を電気的に連結する第２上側接続部とを含むことができる。
【手続補正２】
【補正対象書類名】明細書
【補正対象項目名】００１０
【補正方法】変更
【補正の内容】
【００１０】
例えば、前記ベースは、前記レンズホルダーの前記第１側部と対向する第１側壁と、前記レンズホルダーの前記第２側部と対向する第２側壁と、前記第１側壁と前記第２側壁との間で互いに対向して配置された第３及び第４側壁とを含み、前記上側接続部及び前記下側接続部は、前記ベースの前記第１、第２、第３又は第４側壁の少なくとも一部の表面上に配置されることができる。
【手続補正３】
【補正対象書類名】明細書
【補正対象項目名】００１３
【補正方法】変更
【補正の内容】
【００１３】
前記下側接続部は、前記第１側壁の第３上面に配置され、前記外側端子部と連結された第１下側端子部と、前記第１側壁の前記側面で前記第１下側端子部と前記メイン基板との間で前記第２及び第４上側端子部からそれぞれ離隔して配置された第２下側端子部とを含むことができる。
【手続補正４】
【補正対象書類名】明細書
【補正対象項目名】００１６
【補正方法】変更
【補正の内容】
【００１６】
例えば、前記第１上部電極と前記第１上側端子部は、金属エポキシ、溶接、ソルダリング又はワイヤボンディングの少なくとも一つによって互いに電気的に連結され、前記第２上部電極と前記第３上側端子部は、金属エポキシ、溶接、ソルダリング又はワイヤボンディングの少なくとも一つによって互いに電気的に連結され、前記外側端子部と前記第１下側端子部は、金属エポキシ、溶接、ソルダリング又はワイヤボンディングの少なくとも一つによって互いに電気的に連結されることができる。
【手続補正５】
【補正対象書類名】明細書
【補正対象項目名】００２１
【補正方法】変更
【補正の内容】
【００２１】
実施例によるカメラモジュールは、上部電極とメイン基板を第１フレキシブルプリント基板（ＦＰＣＢ）を使わずに上側接続部を用いて連結するので、第１連結回路基板と上部電極を連結する工程が不必要になって製造時間及び費用を節減することができ、メイン基板からの駆動電圧を液体レンズに伝達する第１及び第２フレキシブルプリント基板をベンディングしてメイン基板に直接連結する場合、第１及び第２フレキシブルプリント基板をベンディングすることによって第１及び第２フレキシブルプリント基板とメイン基板が互いに接触する部位で発生する公差が大きいが、実施例の場合、下部連結基板をベンディングしないので、下部連結基板とベースが互いに接触する部位での公差が相対的に小さくて公差の精度が改善されるので、下部連結基板をメイン基板と電気的に確かに連結することができ、下部連結基板の構成が液体レンズを取り囲んで保護する形状を有するので、このような役割を果たすスペーサーが不必要であり、第１及び第２フレキシブルプリント基板をベンディングしてメイン基板と連結する場合、メイン基板の大きさが小さければ、第１及び第２フレキシブルプリント基板間の電気的な接触がずれることができるが、実施例の場合、下部連結基板をベンディングせずにメイン基板と連結するので、メイン基板の大きさが小さいとしても、下部連結基板とメイン基板との間の電気的接触がずれないので、メイン基板（又は、カメラモジュール）の大きさを一層減らすことができ、下部連結基板の大きさが小さいとしても切れるか浮き上がることがなくて下部連結基板の信頼性が高くなり、下部連結基板がベンディングされなければならないという条件がないので、下部連結基板に対する設計の制約条件がややこしくなくて下部連結基板の設計の自由度が高くなることができ、上側及び下側接続部に第３部分を備えることにより、アクティブアラインの際に上側及び下側接続部を介しての液体レンズへの駆動電圧の供給が容易であり、アクティブアライン工程作業が容易でありながらも正確に遂行されることができ、カメラモジュールの信頼性が改善されることができ、前述したように、スペーサーや第１フレキシブルプリント基板を要求しないので、部品の個数が減少してアクティブアラインなどの製造工程が早くなることができ、光軸に垂直な水平面積が減少して大きさが小型化することができ、製造コストが節減され、製造工程が単純化することができる。
【手続補正６】
【補正対象書類名】明細書
【補正対象項目名】０１１４
【補正方法】変更
【補正の内容】
【０１１４】
ベース１７２はイメージセンサー１８２上に配置されることができ、ベース１７２はレンズホルダー１２０の第２ホールＨ２を取り囲むように配置されることができる。すなわち、レンズホルダー１２０はベース１７２に配置されることができ、ベース１７２はレンズホルダー１２０を収容することができ、レンズホルダー１２０の側面を取り囲むように配置されることができる。ベース１７２は、第２ホールＨ２を収容するための収容ホール１７２Ｈを含むことができる。収容ホール１７２Ｈの直径は第２ホールＨ２の外径以上であり得る。ここで、ベース１７２の収容ホール１７２Ｈと第２ホールＨ２の形状はそれぞれ円形であるものとして図示されているが、実施例はこれに限定されず、多様な形状に変更されることもできる。収容ホール１７２Ｈは、ベース１７２の中央付近に、カメラモジュール１００Ａに配置されたイメージセンサー１８２の位置に対応する位置に形成されることができる。収容ホール１７２Ｈは貫通ホールであってもよく、ブラインドホールであってもよい。
【手続補正７】
【補正対象書類名】明細書
【補正対象項目名】０１６２
【補正方法】変更
【補正の内容】
【０１６２】
制御回路２１０は、制御回路２１０の通信又はインターフェースの機能を果たすコネクター（図示せず）をさらに含むことができる。例えば、Ｉ2Ｃ（Ｉｎｔｅｒ−Ｉｎｔｅｇｒａｔｅｄ  Ｃｉｒｃｕｉｔ）通信方式を使う制御回路２１０とＭＩＰＩ（Ｍｏｂｉｌｅ  Ｉｎｄｕｓｔｒｙ  Ｐｒｏｃｅｓｓｏｒ  Ｉｎｔｅｒｆａｃｅ）通信方式を使うレンズアセンブリー２５０との間の通信のために、コネクターは通信プロトコル変換を遂行することができる。また、コネクターは、外部（例えば、バッテリー）から電源を受け、制御部２２０及びレンズアセンブリー２５０の動作に必要な電源を供給することができる。
【手続補正８】
【補正対象書類名】明細書
【補正対象項目名】０１８８
【補正方法】変更
【補正の内容】
【０１８８】
一方、実施例によるカメラモジュール１００Ａの場合、レンズホルダー１２０の構造、ベース１７２の構造及び液体レンズ部１４０の構造を変形させることで、上部電極Ｅ１〜Ｅ４が比較例の第１フレキシブルプリント基板のような部材の助けなしに、ベース１７２の表面に配置された上側接続部ＵＰを介してメイン基板１５０に電気的に連結されることができる。仮に、比較例のように液体レンズ上に第１フレキシブルプリント基板が配置される場合、第１フレキシブルプリント基板のｘ軸の長さが最小で０．４５ｍｍ、ｙ軸の長さが最小で０．８５ｍｍ程度に確保されなければならない。しかし、実施例の場合、第１フレキシブルプリント基板を要求しないので、カメラモジュール１００Ａにおいて光軸に垂直な水平面積（ｘ軸の長さとｙ軸の長さの積）が減少してサイズが小型化することができ、第１フレキシブルプリント基板と上部電極を連結するための工程が不必要になって製造コストを節減することができる。
【手続補正９】
【補正対象書類名】特許請求の範囲
【補正対象項目名】全文
【補正方法】変更
【補正の内容】
【特許請求の範囲】
【請求項１】
液体レンズ部と、
前記液体レンズ部が配置されたレンズホルダーと、
前記液体レンズ部を駆動する駆動信号を供給するメイン基板と、
前記メイン基板上に配置され、内部空間に前記液体レンズ部が配置されるベースと、を含み、
前記液体レンズ部は、
上部電極及び下部電極を含む液体レンズと、
前記下部電極と連結される下部連結基板と、を含み、
前記ベースは、
前記上部電極と前記メイン基板を電気的に連結し、平面上で前記上部電極に隣り合って配置された上側接続部と、
前記下部連結基板と前記メイン基板を電気的に連結する下側接続部と、を含む、カメラモジュール。
【請求項２】
前記下部連結基板は、前記ベースに向かって突出して前記下側接続部と連結された外側端子部を含む、請求項１に記載のカメラモジュール。
【請求項３】
前記下部連結基板は、前記外側端子部の下面から前記メイン基板に向かう方向に突出した形状を有する、請求項２に記載のカメラモジュール。
【請求項４】
前記レンズホルダーは、
第１開口を有する第１側部と、
前記第１開口と光軸方向に垂直な方向に対面する第２開口を有する第２側部と、
前記第１及び第２開口とともに前記液体レンズ部の前記上部電極を露出させる形状を有する上部と、を含み、
前記上側接続部は、
前記露出された上部電極の中で、前記第１開口に隣り合う第１上部電極と前記メイン基板を電気的に連結する第１上側接続部と、
前記露出された上部電極の中で、前記第２開口に隣り合う第２上部電極と前記メイン基板を電気的に連結する第２上側接続部と、を含む、請求項２に記載のカメラモジュール。
【請求項５】
前記第１開口と前記第２開口が対面し、前記光軸に垂直な方向に、前記レンズホルダーの上部の中心の第１幅は端部の第２幅より大きい、請求項４に記載のカメラモジュール。
【請求項６】
前記ベースは、
前記レンズホルダーの前記第１側部と対向する第１側壁と、
前記レンズホルダーの前記第２側部と対向する第２側壁と、
前記第１側壁と前記第２側壁との間で互いに対向して配置された第３及び第４側壁と、を含み、
前記上側接続部及び前記下側接続部は、前記ベースの前記第１、第２、第３又は第４側壁の少なくとも一部の表面上に配置される、請求項４又は５に記載のカメラモジュール。
【請求項７】
前記第１上側接続部は、
前記第１側壁の第１上面に配置され、前記第１上部電極と連結された第１上側端子部と、
前記第１側壁の側面で前記第１上側端子部と前記メイン基板との間に配置された第２上側端子部と、を含む、請求項６に記載のカメラモジュール。
【請求項８】
前記第２上側接続部は、
前記第２側壁の第２上面に配置され、前記第２上部電極と連結された第３上側端子部と、
前記第３上側端子部から前記第３又は第４側壁の少なくとも一つを通して前記第１側壁まで延びる端子連結部と、
前記第１側壁の前記側面で前記端子連結部と前記メイン基板との間で前記第２上側端子部から離隔して配置された第４上側端子部と、を含む、請求項７に記載のカメラモジュール。
【請求項９】
前記下側接続部は、
前記第１側壁の第３上面に配置され、前記外側端子部と連結された第１下側端子部と、
前記第１側壁の前記側面で前記第１下側端子部と前記メイン基板との間で前記第２及び第４上側端子部からそれぞれ離隔して配置された第２下側端子部と、を含む、請求項８に記載のカメラモジュール。
【請求項１０】
前記メイン基板は、
前記第２上側端子部と接触する第１パッドと、
前記第４上側端子部と連結された第２パッドと、
前記第２下側端子部と連結された第３パッドと、を含む、請求項９に記載のカメラモジュール。
【請求項１１】
前記第１上部電極と前記第１上側端子部は、金属エポキシ、溶接、ソルダリング又はワイヤボンディングの少なくとも一つによって互いに電気的に連結され、
前記第２上部電極と前記第３上側端子部は、金属エポキシ、溶接、ソルダリング又はワイヤボンディングの少なくとも一つによって互いに電気的に連結され、
前記外側端子部と前記第１下側端子部は、金属エポキシ、溶接、ソルダリング又はワイヤボンディングの少なくとも一つによって互いに電気的に連結される、請求項９又は１０に記載のカメラモジュール。
【請求項１２】
前記第２上側端子部、前記第４上側端子部及び第２下側端子部のそれぞれは、
第３幅を有し、前記第１上側端子部、前記第３上側端子部又は前記第１下側端子部と接する第１部分と、
前記第３幅より大きい第４幅を有し、前記第１、第２又は第３パッドと接する第２部分と、
前記第１部分と前記第２部分との間に配置され、前記第４幅より大きい第５幅を有する第３部分と、を含む、請求項１０に記載のカメラモジュール。
【請求項１３】
前記上側接続部及び前記下側接続部は、前記ベースの前記第１、第２、第３及び第４側壁のいずれか一側壁のみに配置される、請求項９〜１２のいずれか一項に記載のカメラモジュール。
【請求項１４】
前記一側壁の外表面で、前記第２上側端子部、前記第４上側端子部及び前記第２下側端子部は、互いに離隔して配置される、請求項１３に記載のカメラモジュール。
【請求項１５】
前記第１〜第３上面の高さは、互いに異なる、請求項９〜１４のいずれか一項に記載のカメラモジュール。
【請求項１６】
前記下部連結基板は、
前記液体レンズの下部又は側部の少なくとも一方に配置されるフレームと、
前記フレームから内側に突出して前記下部電極と連結される内側端子部と、を含む、請求項２〜１５のいずれか一項に記載のカメラモジュール。
【請求項１７】
前記下部連結基板の前記フレームと前記内側端子部は、前記液体レンズが装着、着座、接触、固定、仮固定、支持、結合又は配置される形状を有する、請求項１６に記載のカメラモジュール。
【請求項１８】
前記下部連結基板は、前記内側端子部の下面から前記メイン基板に向かう方向に突出した形状を有する内側突出部を含む、請求項１６又は１７に記載のカメラモジュール。
【請求項１９】
前記外側端子部は、前記フレームに隣り合い、弾性を有する連結フレームを含む、請求項１６〜１８のいずれか一項に記載のカメラモジュール。
【請求項２０】
前記下部電極と前記内側端子部は、伝導性物質を介して互いに接触、結合及び通電する、請求項１６〜１９のいずれか一項に記載のカメラモジュール。
【手続補正１０】
【補正対象書類名】図面
【補正対象項目名】図９
【補正方法】変更
【補正の内容】
【図９】
2021511548.tif 000019
【国際調査報告】
2021511548.tif 000020
2021511548.tif 000021
2021511548.tif 000022
2021511548.tif 000023